(57)【要約】  ワイヤレス通信のための方法、装置、コンピュータ読み取り可能媒体が提供される。１つの構成において、装置は、ＵＥであり得る。ＵＥは、基地局からＰＴＭデータを受信する。ＵＥは、識別子に基づいて、ＰＴＭデータを復号することを試みる。ＵＥは、ＰＴＭデータを復号する試みに基づいて、基地局にフィードバック情報を送信するべきかどうかを決定する。別の構成において、装置は、基地局であり得る。基地局は、ＵＥにＰＴＭデータを送信する。基地局は、送信されたＰＴＭデータに関連付けられたフィードバック情報に基づいて、ＵＥにＰＴＭデータを再送信する。
2018505613.tif 000002
【特許請求の範囲】
【請求項１】
ユーザ（ＵＥ）機器によるワイヤレス通信の方法であって、
基地局からポイントツーマルチポイント（ＰＴＭ）データを受信することと、
識別子に基づいて、前記ＰＴＭデータを復号することを試みることと、
前記ＰＴＭデータを復号する前記試みに基づいて、前記基地局にフィードバック情報を送信するべきかどうかを決定することと
を備える、方法。
【請求項２】
前記決定することは、前記基地局に前記フィードバック情報を送信することを控えることを備える、請求項１に記載の方法。
【請求項３】
前記決定することは、前記ＵＥが、前記ＰＴＭデータを成功裏に復号するとき、前記基地局に前記フィードバック情報を送信することを控えることを備える、請求項１に記載の方法。
【請求項４】
前記決定は、さらに、前記ＵＥの電力レベルに基づき、および、前記ＵＥが、アップリンク共有チャネル上で送信するべきデータを有するかどうかに基づく、請求項１に記載の方法。
【請求項５】
前記ＵＥが前記ＰＴＭデータを成功裏に復号しないとき、前記基地局に前記ＰＴＭデータに関する前記フィードバック情報を送信することを試みることをさらに備える、請求項１に記載の方法。
【請求項６】
前記ＵＥが特定のグループサービスを受信していることを示す情報を送信することをさらに備える、請求項５に記載の方法。
【請求項７】
遅延に基づいて前記ＰＴＭデータをバッファすることをさらに備える、請求項５に記載の方法。
【請求項８】
前記フィードバック情報は、否定応答（ＮＡＣＫ）である、請求項５に記載の方法。
【請求項９】
前記ＰＴＭデータに関する前記ＮＡＣＫは、前記識別子に関連付けられたダウンリンク制御チャネルメッセージにおいて識別されたアップリンク制御チャネルリソース上で送信される、請求項８に記載の方法。
【請求項１０】
前記ＰＴＭデータに関する前記ＮＡＣＫは、半持続性スケジューリングにおいて識別されたアップリンク制御チャネルリソース上で送信され、前記半持続性スケジューリングは、前記識別子に関連付けられる、請求項８に記載の方法。
【請求項１１】
前記ＰＴＭデータは、二次サービングセルから受信され、および、前記ＰＴＭデータに関する前記ＮＡＣＫは、一次サービングセルに送信される、請求項８に記載の方法。
【請求項１２】
前記ＰＴＭデータに関する前記ＮＡＣＫは、前記識別子に関連付けられたダウンリンク制御チャネルメッセージにおいて示された電力制御コマンドに基づいて、送信されない、請求項８に記載の方法。
【請求項１３】
前記ＵＥは、アイドル状態にある、請求項８に記載の方法。
【請求項１４】
前記決定することは、ユニキャスト制御情報を送信することを控えることを備え、前記ＰＴＭデータに関する前記ＮＡＣＫは、前記識別子に関連付けられたアップリンクチャネルリソースにおいて、送信される、請求項８に記載の方法。
【請求項１５】
前記ＰＴＭデータに関する前記ＮＡＣＫは、スケジューリング要求リソース上で送信される、請求項８に記載の方法。
【請求項１６】
前記ＰＴＭデータに関する前記ＮＡＣＫは、ユニキャスト肯定応答（ＡＣＫ）またはユニキャストＮＡＣＫと一緒に送信される、請求項８に記載の方法。
【請求項１７】
前記ＰＴＭデータに関する前記ＮＡＣＫは、前記ユニキャストＡＣＫまたは前記ユニキャストＮＡＣＫのいずれかと一緒に符号化される、請求項１６に記載の方法。
【請求項１８】
前記ＰＴＭデータに関する前記ＮＡＣＫは、チャネル品質インジケータリソース上で送信される、請求項８に記載の方法。
【請求項１９】
ＰＴＭデータに関する前記ＮＡＣＫは、ユニキャストデータまたはユニキャスト制御情報と並行に送信される、請求項１に記載の方法。
【請求項２０】
前記ＵＥが、送信のためのユニキャストデータまたはユニキャスト制御情報を有するとき、前記ＵＥは、前記ＰＴＭデータに関する前記フィードバック情報を送信しないことを決定する、請求項１に記載の方法。
【請求項２１】
前記フィードバック情報を送信することを試みることをさらに備え、前記フィードバック情報は、受信レポート、無線リソース制御（ＲＲＣ）フィードバックレポート、または駆動テスト最小化（ＭＤＴ）レポートのうちの１つである、請求項１に記載の方法。
【請求項２２】
前記受信レポートは、一次セル識別子、二次セル識別子、または、データがマルチキャストブロードキャストマルチメディアストリーム（ＭＢＭＳ）送信を介して受信されるか、またはＰＴＭ送信を介して受信されるかについてのインジケーションのうちの少なくとも１つを含む、請求項２１に記載の方法。
【請求項２３】
前記ＲＲＣフィードバックレポートまたは前記ＭＤＴレポートは、前記識別子に関連付けられた受信されたパケットの数、または前記識別子に関連付けられた成功裏に復号されたパケットの数のうちの少なくとも１つを含む、請求項２２に記載の方法。
【請求項２４】
前記ＲＲＣフィードバックレポートまたは前記ＭＤＴレポートは、ブロックエラーレート（ＢＬＥＲ）の閾値または測定期間のうちの少なくとも１つに基づいて、送信される、請求項２２に記載の方法。
【請求項２５】
ワイヤレス通信のための装置であって、
基地局からポイントツーマルチポイント（ＰＴＭ）データを受信するための手段と、
識別子に基づいて、前記ＰＴＭデータを復号することを試みるための手段と、
前記ＰＴＭデータを復号する前記試みに基づいて、前記基地局にフィードバック情報を送信するべきかどうかを決定するための手段と
を備える、装置。
【請求項２６】
ワイヤレス通信のための装置であって、
メモリと、
前記メモリに結合され、および
基地局からポイントツーマルチポイント（ＰＴＭ）データを受信することと、
識別子に基づいて、前記ＰＴＭデータを復号することを試みることと、
前記ＰＴＭデータを復号する前記試みに基づいて、前記基地局にフィードバック情報を送信するべきかどうかを決定することと
を行うように構成された、少なくとも１つのプロセッサと
を備える、装置。
【請求項２７】
前記少なくとも１つのプロセッサは、前記装置が前記ＰＴＭデータを成功裏に復号するとき、前記基地局に前記フィードバック情報を送信することを控えることによって、フィードバック情報を送信するべきかどうかを決定するように構成される、請求項２６に記載の装置。
【請求項２８】
前記決定は、さらに、前記装置の電力レベルに基づき、および、前記装置が、アップリンク共有チャネル上で送信するべきデータを有するかどうかに基づく、請求項２６に記載の装置。
【請求項２９】
前記少なくとも１つのプロセッサは、前記装置が前記ＰＴＭデータを成功裏に復号しないとき、前記基地局に前記ＰＴＭデータに関する前記フィードバック情報を送信することを試みるようにさらに構成される、請求項２６に記載の装置。
【請求項３０】
ワイヤレス通信のためのコンピュータ実行可能コードを記憶するコンピュータ読み取り可能媒体であって、
基地局からポイントツーマルチポイント（ＰＴＭ）データを受信することと、
識別子に基づいて、前記ＰＴＭデータを復号することを試みることと、
前記ＰＴＭデータを復号する前記試みに基づいて、前記基地局にフィードバック情報を送信するべきかどうかを決定することと
を行うためのコードを備える、コンピュータ読み取り可能媒体。
【発明の詳細な説明】
【関連出願の相互参照】
【０００１】
[0001]  本願は、「UE FEEDBACK FOR POINT-TO-MULTIPOINT TRANSMISSIONS」と題され、２０１５年１月３０日に出願された、国際出願第ＰＣＴ／ＣＮ２０１５／０７１９３５号の利益を主張し、それは、その全体が本明細書に参照によって明確に組み込まれる。
【背景技術】
【０００２】
[0002]  本開示は、一般に、通信システムに関し、より具体的には、ポイントツーマルチポイント（ＰＴＭ：point-to-multipoint）送信に関するユーザ機器（ＵＥ）のフィードバックに関する。
【０００３】
[0003]  ワイヤレス通信システムは、電話通信、映像、データ、メッセージング、およびブロードキャストのような、様々な電気通信サービスを提供するために幅広く展開されている。典型的なワイヤレス通信システムは、利用可能なシステムリソース（たとえば、帯域幅、送信電力）を共有することによって複数のユーザとの通信をサポートすることができる多元接続技術を用い得る。そのような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004]  これらの多元接続技術は、異なる複数のワイヤレスデバイスに、地方自治体レベル、全国レベル、地域レベル、さらには世界レベルで通信することを可能にさせる共通のプロトコルを提供するために、様々な電気通信規格において採用されてきた。例となる電気通信規格が、ロングタームエボリューション（ＬＴＥ（登録商標）：Long Term Evolution）である。ＬＴＥは、第３世代パートナーシッププロジェクト（３ＧＰＰ（登録商標））によって公布されたユニバーサルモバイル電気通信システム（ＵＭＴＳ）のモバイル規格の拡張セットである。ＬＴＥは、スペクトル効率を改善すること、コストを下げること、サービスを改善すること、新たなスペクトルを使用すること、ならびに、ダウンリンク（ＤＬ）上でＯＦＤＭＡを、アップリンク（ＵＬ）上でＳＣ−ＦＤＭＡを、および多入力多出力（ＭＩＭＯ）アンテナ技術を使用して、他のオープン規格とより良好に統合することによって、モバイルブロードバンドインターネットアクセスをより良好にサポートするように設計されている。しかしながら、モバイルブロードバンドアクセスに対する需要が増加し続けるにつれて、ＬＴＥ技術のさらなる改善の必要性が存在する。望ましくは、これらの改善は、これらの技術を用いる他のマルチ接続（multi-access）技術および電気通信規格に適用可能であるべきである。
【発明の概要】
【０００５】
[0005]  本開示の一態様において、方法、コンピュータ読み取り可能媒体、および装置が提供される。装置は、基地局からＰＴＭデータを受信するＵＥであり得る。ＰＴＭデータを受信した後に、ＵＥは、識別子に基づいて、ＰＴＭデータを復号することを試みる。ＵＥは、次いで、ＰＴＭデータを復号する試みに基づいて、基地局にフィードバック情報を送信するべきかどうかを決定する。
【０００６】
[0006]  本開示の他の態様において、方法、コンピュータ読み取り可能媒体、および装置が提供される。装置は、ＵＥにＰＴＭデータを送信する基地局であり得る。基地局は、送信されたＰＴＭデータに関連付けられたフィードバック情報に基づいて、ＵＥにＰＴＭデータを再送信する。
【０００７】
[0007]  一態様において、基地局によるワイヤレス通信の方法が提供される。方法は、ＵＥにＰＴＭデータを送信すること、および送信されたＰＴＭデータに関連付けられたフィードバック情報に基づいて、ＵＥにＰＴＭデータを再送信することを含み得る。一態様において、その再送信は、ハイブリッド自動再送要求の再送信（a hybrid automatic repeat request retransmission）に基づかない可能性がある。別の構成において、方法は、送信されたＰＴＭデータに基づいて、ＵＥからフィードバック情報を受信することを含み得る。別の態様において、フィードバック情報は、送信されたＰＴＭデータに関連付けられたレポートまたは否定応答であり得る。別の構成において、ＰＴＭデータを再送信することは、フィードバック情報に基づいてＰＴＭデータを再送信するための、ＰＴＭデータの再送信の回数、送信モード、または変調コーディング方式、のうちの少なくとも１つを調整することを含み得る。別の構成において、方法は、ＵＥに、ブロックエラーレートの閾値および／または測定期間に基づいて、フィードバック情報を送信することを可能にさせるために、ＵＥに、ＢＬＥＲの閾値および／または測定期間を送信することを含み得る。
【０００８】
[0008]  別の態様において、ワイヤレス通信のための装置が提供される。装置は、ＵＥにＰＴＭデータを送信するための手段、および送信されたＰＴＭデータに関連付けられたフィードバック情報に基づいて、ＵＥにＰＴＭデータを再送信するための手段を含み得る。一態様において、その再送信は、ハイブリッド自動再送要求の再送信に基づかない可能性がある。別の構成において、装置は、送信されたＰＴＭデータに基づいて、ＵＥからフィードバック情報を受信するための手段を含み得る。別の態様において、フィードバック情報は、送信されたＰＴＭデータに関連付けられたレポートまたは否定応答であり得る。別の構成において、ＰＴＭデータを再送信するための手段は、フィードバック情報に基づいてＰＴＭデータを再送信するための、ＰＴＭデータの再送信の回数、送信モード、または変調コーディング方式、のうちの少なくとも１つを調整するように構成される。別の構成において、装置に、ＢＬＥＲの閾値および／または測定期間に基づいて、フィードバック情報を送信することを可能にさせるために、装置は、装置にＢＬＥＲの閾値および／または測定期間を送信するための手段を含み得る。
【０００９】
[0009]  別の態様において、ワイヤレス通信のための装置が提供される。装置は、メモリと、メモリに結合され、およびＵＥにＰＴＭデータを送信することと、送信されたＰＴＭデータに関連付けられたフィードバック情報に基づいて、ＵＥにＰＴＭデータを再送信することとを行うように構成された、少なくとも１つのプロセッサを含み得る。一態様において、その再送信は、ハイブリッド自動再送要求の再送信に基づかない可能性がある。別の構成において、少なくとも１つのプロセッサは、送信されたＰＴＭデータに基づいて、ＵＥからフィードバック情報を受信するようにさらに構成され得る。別の態様において、フィードバック情報は、送信されたＰＴＭデータに関連付けられたレポートまたは否定応答であり得る。別の構成において、少なくとも１つのプロセッサは、フィードバック情報に基づいてＰＴＭデータを再送信するための、ＰＴＭデータの再送信の回数、送信モード、または変調コーディング方式、のうちの少なくとも１つを調整することによってＰＴＭデータを再送信するように構成され得る。さらに別の構成において、少なくとも１つのプロセッサは、装置に、ブロックエラーレートの閾値および／または測定期間に基づいて、フィードバック情報を送信することを可能にさせるために、装置に、ＢＬＥＲの閾値および／または測定期間を送信するようにさらに構成され得る。
【００１０】
[0010]  別の態様において、ワイヤレス通信のためのコンピュータ実行可能コードを記憶するコンピュータ読み取り可能媒体が提供される。コンピュータ読み取り可能媒体は、ＵＥにＰＴＭデータを送信することと、送信されたＰＴＭデータに関連付けられたフィードバック情報に基づいて、ＵＥにＰＴＭデータを再送信することとを行うためのコードを含み得る。一態様において、その再送信は、ハイブリッド自動再送要求の再送信に基づかない可能性がある。別の構成において、コンピュータ読み取り可能媒体は、送信されたＰＴＭデータに基づいて、ＵＥからフィードバック情報を受信するためのコードを含み得る。別の態様において、フィードバック情報は、送信されたＰＴＭデータに関連付けられたレポートまたは否定応答であり得る。別の構成において、ＰＴＭデータを再送信するためのコードは、フィードバック情報に基づいてＰＴＭデータを再送信するための、ＰＴＭデータの再送信の回数、送信モード、または変調コーディング方式、のうちの少なくとも１つを調整するためのコードを含み得る。さらに別の構成において、コンピュータ読み取り可能媒体は、ＵＥに、ブロックエラーレートの閾値および／または測定期間に基づいて、フィードバック情報を送信することを可能にさせるために、ＵＥに、ＢＬＥＲの閾値および／または測定期間を送信するためのコードを含み得る。
【図面の簡単な説明】
【００１１】
【図１】[0011]  図１は、ネットワークアーキテクチャの例を例示する図である。
【図２】[0012]  図２は、アクセスネットワークの例を例示する図である。
【図３】[0013]  図３は、ＬＴＥにおけるＤＬフレーム構造の例を例示する図である。
【図４】[0014]  図４は、ＬＴＥにおけるＵＬフレーム構造の例を例示する図である。
【図５】[0015]  図５は、ユーザおよび制御プレーンに関する無線プロトコルアーキテクチャの例を例示する図である。
【図６】[0016]  図６は、アクセスネットワークにおける発展型ＮｏｄｅＢおよびユーザ機器の例を例示する図である。
【図７】[0017]  図７は、ＰＴＭ通信システムの図である。
【図８】[0018]  図８は、ワイヤレス通信の方法のフローチャートである。
【図９】[0019]  図９は、ワイヤレス通信の方法のフローチャートである。
【図１０】[0020]  図１０は、例となる装置における異なるモジュール／手段／コンポーネント間でのデータフローを例示する概念的なデータフロー図である。
【図１１】[0021]  図１１は、処理システムを用いる装置のためのハードウェアインプリメンテーションの例を例示する図である。
【図１２】[0022]  図１２は、例となる装置における異なるモジュール／手段／コンポーネント間でのデータフローを例示する概念的なデータフロー図である。
【図１３】[0023]  図１３は、処理システムを用いる装置のためのハードウェアインプリメンテーションの例を例示する図である。
【詳細な説明】
【００１２】
[0024]  添付された図面に関連して以下に記載される詳細な説明は、様々な構成の説明として意図され、本明細書に説明される概念が実施され得る構成を表すようには意図されない。詳細な説明は、様々な概念の完全な理解を提供する目的で特定の詳細を含む。しかしながら、これらの概念がこれらの特定の詳細なしに実施され得ることは、当業者にとって明らかであろう。いくつかの事例では、周知の構造およびコンポーネントは、そのような概念を曖昧にすることを避けるために、ブロック図の形式で示される。
【００１３】
[0025]  電気通信システムのいくつかの態様が、ここでは、様々な装置および方法に関連して提示される。装置および方法は、以下の詳細な説明において説明され、（集合的に「要素」と呼ばれる）様々なブロック、モジュール、コンポーネント、回路、ステップ、処理、アルゴリズム等によって添付の図面に例示される。これらの要素は、電子ハードウェア、コンピュータソフトウェア、またはそれらの任意の組み合わせを使用してインプリメントされ得る。そのような要素がハードウェアとしてインプリメントされるか、またはソフトウェアとしてインプリメントされるかは、特定の用途およびシステム全体に課せられる設計制約に依存する。
【００１４】
[0026]  例として、要素または要素の任意の一部、あるいは要素の任意の組み合わせが、１つまたは複数のプロセッサを含む「処理システム」を用いて（with）インプリメントされ得る。プロセッサの例は、マイクロプロセッサ、マイクロコントローラ、デジタルシグナルプロセッサ（ＤＳＰ）、フィールドプログラマブルゲートアレイ（ＦＰＧＡ）、プログラマブル論理デバイス（ＰＬＤ）、ステートマシン、ゲートロジック、ディスクリートハードウェア回路、および、本開示全体を通して説明される様々な機能性を行うように構成された他の適したハードウェアを含む。処理システムにおける１つまたは複数のプロセッサは、ソフトウェアを実行し得る。ソフトウェア、ファームウェア、ミドルウェア、マイクロコード、ハードウェア記述言語、またはその他の呼称で呼ばれるかどうかに関係なく、ソフトウェアは、命令、命令セット、コード、コードセグメント、プログラムコード、プログラム、サブプログラム、ソフトウェアコンポーネント、アプリケーション、ソフトウェアアプリケーション、ソフトウェアパッケージ、ルーチン、サブルーチン、オブジェクト、実行ファイル、実行スレッド、プロシージャ、ファンクション（functions）等を意味するように広く解釈されるべきである。
【００１５】
[0027]  それ故に、１つまたは複数の例となる実施形態において、説明される機能（functions）は、ハードウェア、ソフトウェア、ファームウェア、またはそれらの任意の組み合わせにおいてインプリメントされ得る。ソフトウェアにおいてインプリメントされる場合、それら機能は、コンピュータ読み取り可能媒体上で、１つまたは複数の命令またはコードとして符号化され得るか、またはそれ上に記憶され得る。コンピュータ読み取り可能媒体は、コンピュータ記憶媒体を含む。記憶媒体は、コンピュータによってアクセスされることができる任意の利用可能な媒体であり得る。限定ではなく例として、そのようなコンピュータ読み取り可能媒体は、ランダムアクセスメモリ（ＲＡＭ）、読み出し専用メモリ（ＲＯＭ）、電気的消去可能プログラマブルＲＯＭ（ＥＥＰＲＯＭ（登録商標））、コンパクトディスクＲＯＭ（ＣＤ−ＲＯＭ）または他の光ディスク記憶装置、磁気ディスク記憶装置または他の磁気記憶デバイス、コンピュータ読み取り可能媒体の前述のタイプの組み合わせ、あるいはコンピュータによってアクセスされることができるデータ構造または命令の形式でコンピュータ実行可能コードを記憶するために使用されることができる任意の他の媒体を備えることができる。
【００１６】
[0028]  図１は、ＬＴＥネットワークアーキテクチャ１００を例示する図である。ＬＴＥネットワークアーキテクチャ１００は、発展型パケットシステム（ＥＰＳ：Evolved Packet System）１００と呼ばれ得る。ＥＰＳ１００は、１つまたは複数のユーザ機器（ＵＥ）１０２、発展型ＵＭＴＳ地上無線アクセスネットワーク（Ｅ−ＵＴＲＡＮ）１０４、発展型パケットコア（ＥＰＣ）１１０、およびオペレータのインターネットプロトコル（ＩＰ）サービス１２２を含み得る。ＥＰＳは、他のアクセスネットワークと相互接続することができるが、簡潔化のために、それらのエンティティ／インタフェースは、示されていない。示されているように、ＥＰＳは、パケット交換サービスを提供するが、当業者が容易に理解するであろうように、本開示全体を通じて提示される様々な概念は、回線交換サービスを提供するネットワークに拡張され得る。
【００１７】
[0029]  Ｅ−ＵＴＲＡＮは、発展型ＮｏｄｅＢ（ｅＮＢ）１０６および他のｅＮＢ１０８を含み、マルチキャスト協調エンティティ（ＭＣＥ：Multicast Coordination Entity）１２８を含み得る。ｅＮＢ１０６は、ＵＥ１０２に対するユーザおよび制御プレーンプロトコル終端（control plane protocol terminations）を提供する。ｅＮＢ１０６は、バックホール（たとえば、Ｘ２インタフェース）を介して他のｅＮＢ１０８と接続され得る。ＭＣＥ１２８は、発展型マルチメディアブロードキャストマルチキャストサービス（ＭＢＭＳ）（ｅＭＢＭＳ）についての時間／周波数無線リソースを割り振り、ｅＭＢＭＳのための無線構成（たとえば、変調およびコーディング方式（ＭＣＳ））を決定する。ＭＣＥ１２８は、別個のエンティティまたはｅＮＢ１０６の一部であり得る。ｅＮＢ１０６はまた、基地局、ＮｏｄｅＢ、アクセスポイント、ベーストランシーバ基地局、無線基地局、無線トランシーバ、トランシーバ機能、基本サービスセット（ＢＳＳ）、拡張サービスセット（ＥＳＳ）、または何らかの他の適した専門用語で呼ばれ得る。ｅＮＢ１０６は、ＵＥ１０２に、ＥＰＣ１１０へのアクセスポイントを提供する。ＵＥ１０２の例は、セルラ電話、スマートフォン、セッション開始プロトコル（ＳＩＰ）電話、ラップトップ、携帯情報端末（ＰＤＡ）、衛星ラジオ、全地球測位システム、マルチメディアデバイス、映像デバイス、デジタルオーディオプレイヤ（たとえば、ＭＰ３プレイヤ）、カメラ、ゲーム機器、タブレット、または任意の他の同様に機能するデバイスを含む。ＵＥ１０２はまた、当業者によって、モバイル局、加入者局、モバイルユニット、加入者ユニット、無線ユニット、遠隔ユニット、モバイルデバイス、無線デバイス、無線通信デバイス、遠隔デバイス、モバイル加入者局、アクセス端末、モバイル端末、無線端末、遠隔端末、ハンドセット、ユーザエージェント、モバイルクライアント、クライアント、または何らかの他の適した専門用語で呼ばれ得る。
【００１８】
[0030]  ｅＮＢ１０６は、ＥＰＣ１１０に接続される。ＥＰＣ１１０は、モビリティ管理エンティティ（ＭＭＥ）１１２、ホーム加入者サーバ（ＨＳＳ）１２０、他のＭＭＥ１１４、サービングゲートウェイ１１６、マルチメディアブロードキャストマルチキャストサービス（ＭＢＭＳ）ゲートウェイ１２４、ブロードキャストマルチキャストサービスセンター（ＢＭ−ＳＣ）１２６、およびパケットデータネットワーク（ＰＤＮ）ゲートウェイ１１８を含み得る。ＭＭＥ１１２は、ＵＥ１０２とＥＰＣ１１０との間のシグナリングを処理する制御ノードである。一般に、ＭＭＥ１１２は、ベアラおよび接続管理を提供する。全てのユーザＩＰパケットは、サービングゲートウェイ１１６を通じて転送され、それ自体が、ＰＤＮゲートウェイ１１８に接続される。ＰＤＮゲートウェイ１１８は、他の機能だけでなく、ＵＥ  ＩＰアドレス割り振りも提供する。ＰＤＮゲートウェイ１１８およびＢＭ−ＳＣ１２６は、ＩＰサービス１２２に接続される。ＩＰサービス１２２は、インターネット、イントラネット、ＩＰマルチメディアサブシステム（ＩＭＳ）、ＰＳストリーミングサービス（ＰＳＳ）、および／または他のＩＰサービスを含み得る。ＢＭ−ＳＣ１２６は、ＭＢＭＳユーザサービスプロビジョニングおよび配信のための機能を提供し得る。ＢＭ−ＳＣ１２６は、コンテンツプロバイダＭＢＭＳ送信のためのエントリポイントとして役立ち（serve）、ＰＬＭＮ内のＭＢＭＳベアラサービスを認可および開始するために使用され得、およびＭＢＭＳ送信をスケジューリングおよび配信するために使用され得る。ＭＢＭＳゲートウェイ１２４は、特定のサービスをブロードキャストするマルチキャストブロードキャスト単一周波数ネットワーク（ＭＢＳＦＮ）エリアに属するｅＮＢ（たとえば、１０６、１０８）にＭＢＭＳトラフィックを分配するために使用され得、セッション管理（開始／停止）およびｅＭＢＭＳに関連する課金情報（charging information）を収集することに対しての責任を負い得る。
【００１９】
[0031]  図２は、ＬＴＥネットワークアーキテクチャにおけるアクセスネットワーク２００の例を例示する図である。この例において、アクセスネットワーク２００は、多数のセルラ領域（セル）２０２に分割されている。１つまたは複数の低電力クラスの（lower power class）ｅＮＢ２０８は、複数のセル２０２のうちの１つまたは複数と重複するセルラ領域２１０を有し得る。低電力クラスのｅＮＢ２０８は、フェムトセル（たとえば、ホームｅＮＢ（ＨｅＮＢ））、ピコセル、マイクロセル、または遠隔無線ヘッド（ＲＲＨ）であり得る。マクロｅＮＢ２０４は各々、それぞれのセル２０２に割り当てられ、それらセル２０２における全てのＵＥ２０６にＥＰＣ１１０へのアクセスポイントを提供するように構成される。アクセスネットワーク２００のこの例では集中コントローラ（centralized controller）は存在しないが、代替の構成において、集中コントローラが使用され得る。ｅＮＢｓ２０４は、無線ベアラ制御、アドミッション制御、モビリティ制御、スケジューリング、セキュリティ、およびサービングゲートウェイ１１６への接続性を含む、全ての無線に関連する機能に対しての責任を負う。ｅＮＢは、１つまたは複数（one or multiple）（たとえば、３つ）のセル（また、セクタとも呼ばれる）をサポートし得る。「セル」という用語は、特定のカバレッジエリアをサービングするｅＮＢサブシステムおよび／またはｅＮＢの最小のカバレッジエリアを指すことができる。さらに、「ｅＮＢ」、「基地局」、および「セル」という用語は、本明細書では交換可能に使用され得る。
【００２０】
[0032]  アクセスネットワーク２００によって用いられる変調および多元接続方式は、展開されている特定の電気通信規格に依存して変わり得る。ＬＴＥアプリケーションでは、周波数分割複信（ＦＤＤ）および時分割複信（ＴＤＤ）の両方をサポートするために、ＯＦＤＭがＤＬ上で使用され、ＳＣ−ＦＤＭＡがＵＬ上で使用される。以下に続く詳細な説明から当業者が容易に理解するように、本明細書に提示される様々な概念は、ＬＴＥアプリケーションによく適している。しかしながら、これらの概念は、他の変調および多元接続技法を用いる他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２000ファミリー規格の一部として、第３世代パートナーシッププロジェクト２（３ＧＰＰ２）によって公布されたエア・インタフェース（air interface）規格であり、モバイル局にブロードバンドインターネットアクセスを提供するためにＣＤＭＡを用いる。これらの概念はまた、広帯域ＣＤＭＡ（Ｗ−ＣＤＭＡ（登録商標））、およびＴＤ−ＳＣＤＭＡのようなＣＤＭＡの他の変形を用いるユニバーサル地上無線アクセス（ＵＴＲＡ）、ＴＤＭＡを用いる移動体通信のためのグローバルシステム（ＧＳＭ（登録商標））、およびＯＦＤＭＡを用いるフラッシュＯＦＤＭ、ＩＥＥＥ８０２．２０、ＩＥＥＥ８０２．１６（ＷｉＭＡＸ）、ＩＥＥＥ８０２．１１（Ｗｉ−Ｆｉ）、および発展型ＵＴＲＡ（Ｅ−ＵＴＲＡ）に拡張され得る。ＵＴＲＡ、Ｅ−ＵＴＲＡ、ＵＭＴＳ、ＬＴＥ、およびＧＳＭは、３ＧＰＰの団体からの文書中で説明されている。ＣＤＭＡ２０００およびＵＭＢは、３ＧＰＰ２の団体からの文書中で説明されている。用いられる実際のワイヤレス通信規格および多元接続技術は、特定の用途およびシステムに課された全体的な設計の制約に依存することになる。
【００２１】
[0033]  ｅＮＢ２０４は、ＭＩＭＯ技術をサポートする複数のアンテナを有し得る。ＭＩＭＯ技術の使用は、ｅＮＢ２０４に、空間多重化、ビームフォーミング、および送信ダイバーシチをサポートするために空間ドメインを活用すること（exploit）を可能にさせる。空間多重化は、同じ周波数上で同時にデータの異なるストリームを送信するために使用され得る。これらデータストリームは、データレートを増加させるために単一のＵＥ２０６に、または、全システム容量を増加させるために複数のＵＥ２０６に、送信され得る。これは、各データストリームを空間的にプリコーディングし（すなわち、振幅および位相のスケーリングを適用し）、その後、ＤＬ上で複数の送信アンテナを通じて各空間的にプリコーディングされたストリームを送信することによって達成される。空間的にプリコーディングされたデータストリームは、異なる空間シグネチャとともにＵＥ２０６（１つまたは複数）へと到達し、それは、ＵＥ２０６（１つまたは複数）の各々に、そのＵＥ２０６を宛先とする１つまたは複数のデータストリームを復元する（recover）ことを可能にさせる。ＵＬ上において、各ＵＥ２０６は、空間的にプリコーディングされたデータストリームを送信し、それは、ｅＮＢ２０４に、各空間的にプリコーディングされたデータストリームのソースを識別することを可能にさせる。
【００２２】
[0034]  空間多重化は、一般に、チャネル状態（channel conditions）が良好なときに使用される。チャネル状態があまり望ましくないとき、ビームフォーミングは、１つまたは複数の方向に送信エネルギーを集中させるために、使用され得る。これは、複数のアンテナを通じた送信のためのデータを空間的にプリコーディングすることによって達成され得る。セルのエッジにおいて良好なカバレッジを達成するために、単一ストリームのビームフォーミング送信は、送信ダイバーシチと組み合わせて使用され得る。
【００２３】
[0035]  次の詳細な説明において、アクセスネットワークの様々な態様は、ＤＬ上でＯＦＤＭをサポートするＭＩＭＯシステムに関連して説明される。ＯＦＤＭは、ＯＦＤＭシンボル内の多数の（a number of）サブキャリアにわたるデータを変調する拡散スペクトル技法である。サブキャリアは、正確な周波数で間隔が空けられている。間隔を空けること（spacing）は、受信機にサブキャリアからのデータを復元することを可能にさせる「直交性（orthogonality）」を提供する。時間ドメインでは、ＯＦＤＭシンボル間干渉に対抗するために、各ＯＦＤＭシンボルにガードインターバル（たとえば、サイクリックプリフィックス）が追加され得る。ＵＬは、高いピーク対平均電力比（ＰＡＰＲ）を補償するために、ＤＦＴ拡散ＯＦＤＭ信号（a DFT-spread OFDM signal）の形態でＳＣ−ＦＤＭＡを使用し得る。
【００２４】
[0036]  図３は、ＬＴＥにおけるＤＬフレーム構造の例を例示する図３００である。フレーム（１０ｍｓ）は、１０個の等しくサイズ付けされたサブフレームに分割され得る。各サブフレームは、２つの連続したタイムスロットを含み得る。リソースグリッドは、２つの時間スロットを表すために使用され得、各時間スロットは、リソースブロックを含む。リソースグリッドは、複数のリソース要素に分割される。ＬＴＥにおいて、通常のサイクリックプリフィックスに関して、リソースブロックは、周波数ドメイン中に１２個の連続したサブキャリアを、時間ドメイン中に７つの連続したＯＦＤＭシンボルを含み、合計で８４個のリソース要素となる。拡張されたサイクリックプリフィックスに関して、リソースブロックは、周波数ドメイン中に１２個の連続したサブキャリアを、時間ドメイン中に６つの連続したＯＦＤＭシンボルを含み、合計で７２個のリソース要素となる。Ｒ３０２、３０４として示される、リソース要素のうちのいくつかは、ＤＬ基準信号（ＤＬ−ＲＳ）を含む。ＤＬ−ＲＳは、（また、時には共通のＲＳと呼ばれることもある）セルに特有のＲＳ（ＣＲＳ）３０２およびＵＥに特有のＲＳ（ＵＥ−ＲＳ）３０４を含む。ＵＥ−ＲＳ３０４は、対応する物理ＤＬ共有チャネル（ＰＤＳＣＨ）がマッピングされるリソースブロック上で送信される。各リソース要素によって搬送されるビット数は、変調方式に依存する。このように、ＵＥが受信するリソースブロックがより多いほど、および変調方式がより高度であるほど、ＵＥのためのデータレートはより高くなる。
【００２５】
[0037]  図４は、ＬＴＥにおけるＵＬフレーム構造の例を例示する図４００である。ＵＬのために利用可能なリソースブロックは、データセクションと制御セクションとに区分され得る。制御セクションは、システム帯域幅の２つのエッジにおいて形成され得、設定可能なサイズを有し得る。制御セクションにおけるリソースブロックは、制御情報の送信のためにＵＥに割り当てられ得る。データセクションは、制御セクションに含まれない全てのリソースブロックを含み得る。ＵＬフレーム構造は、隣接するサブキャリア（contiguous subcarriers）を含むデータセクションをもたらし、それは、単一のＵＥが、データセクションにおける隣接するサブキャリアの全てを割り当てられることを可能にし得る。
【００２６】
[0038]  ＵＥは、ｅＮＢに制御情報を送信するために、制御セクションにおけるリソースブロック４１０ａ、４１０ｂを割り当てられ得る。ＵＥはまた、ｅＮＢにデータを送信するために、データセクションにおけるリソースブロック４２０ａ、４２０ｂを割り当てられ得る。ＵＥは、制御セクションにおける割り当てられたリソースブロック上で、物理ＵＬ制御チャネル（ＰＵＣＣＨ）において、制御情報を送信し得る。ＵＥは、データセクションにおける割り当てられたリソースブロック上で、物理ＵＬ共有チャネル（ＰＵＳＣＨ）において、データ、またはデータと制御情報との両方を送信し得る。ＵＬ送信は、サブフレームの両方のスロットに及び得、周波数にわたってホッピングし得る。
【００２７】
[0039]  リソースブロックのセットは、物理ランダムアクセスチャネル（ＰＲＡＣＨ）４３０において、初期システムアクセスを行い、およびＵＬ同期を達成するために使用され得る。ＰＲＡＣＨ４３０は、ランダムシーケンスを搬送するが、いずれのＵＬデータ／シグナリングも搬送することができない。各ランダムアクセスプリアンブルは、６つの連続したリソースブロックに対応する帯域幅を占有する。開始周波数（starting frequency）は、ネットワークによって指定される。すなわち、ランダムアクセスプリアンブルの送信は、ある特定の時間および周波数リソースに制限される。ＰＲＡＣＨに関して、周波数ホッピングは存在しない。ＰＲＡＣＨの試みは、単一のサブフレーム（１ｍｓ）において、または少数の隣接するサブフレームのシーケンスにおいて搬送され、ＵＥは、１フレーム（１０ｍｓ）につき単一のＰＲＡＣＨの試みを行うことができる。
【００２８】
[0040]  図５は、ＬＴＥにおけるユーザおよび制御プレーンに関する無線プロトコルアーキテクチャの例を例示する図５００である。ＵＥおよびｅＮＢに関する無線プロトコルアーキテクチャは、３つのレイヤ：レイヤ１、レイヤ２、およびレイヤ３で示される。レイヤ１（Ｌ１レイヤ）は、最下位のレイヤであり、様々な物理レイヤ信号処理機能をインプリメントする。Ｌ１レイヤは、本明細書では、物理レイヤ５０６と呼ばれる。レイヤ２（Ｌ２レイヤ）５０８は、物理レイヤ５０６の上にあり、物理レイヤ５０６よりも上のＵＥとｅＮＢとの間のリンクに対しての責任を負う。
【００２９】
[0041]  ユーザプレーンにおいて、Ｌ２レイヤ５０８は、媒体アクセス制御（ＭＡＣ）サブレイヤ５１０、無線リンク制御（ＲＬＣ）サブレイヤ５１２、およびパケットデータコンバージェンスプロトコル（ＰＤＣＰ）５１４サブレイヤを含み、それらは、ネットワーク側のｅＮＢで終端される。示されていないが、ＵＥは、ネットワーク側のＰＤＮゲートウェイ１１８で終端するネットワークレイヤ（たとえば、ＩＰレイヤ）や、接続の他端（たとえば、遠端のＵＥ、サーバ等）で終端するアプリケーションレイヤを含む、Ｌ２レイヤ５０８よりも上の、いくつかの上位レイヤを有し得る。
【００３０】
[0042]  ＰＤＣＰサブレイヤ５１４は、異なる無線ベアラと論理チャネルとの間の多重化を提供する。ＰＤＣＰサブレイヤ５１４はまた、上位レイヤデータパケットが無線送信オーバヘッドを減らすためのヘッダ圧縮、データパケットを暗号化することによるセキュリティ、および複数のｅＮＢ間のＵＥのためのハンドオーバサポートを提供する。ＲＬＣサブレイヤ５１２は、上位レイヤデータパケットのセグメンテーションおよび再組立て、紛失データパケットの再送信、およびハイブリッド自動再送要求（ＨＡＲＱ：hybrid automatic repeat request）に起因した順序の狂った受信を補償するためのデータパケットの並べ替えを提供する。ＭＡＣサブレイヤ５１０は、論理チャネルとトランスポートチャネルとの間の多重化を提供する。ＭＡＣサブレイヤ５１０はまた、ＵＥの間で１つのセルにおける様々な無線リソース（たとえば、リソースブロック）を割り振ることに対しての責任を負う。ＭＡＣサブレイヤ５１０はまた、ＨＡＲＱオペレーションに対しての責任を負う。
[0043]  制御プレーンにおいて、ＵＥおよびｅＮＢに関する無線プロトコルアーキテクチャは、制御プレーンに関してヘッダ圧縮機能がないという点を除いて、物理レイヤ５０６およびＬ２レイヤ５０８に関して実質的に同じである。制御プレーンはまた、レイヤ３（Ｌ３レイヤ）において無線リソース制御（ＲＲＣ）サブレイヤ５１６を含む。ＲＲＣサブレイヤ５１６は、無線リソース（すなわち、無線ベアラ）を取得すること、およびｅＮＢおよびＵＥ間でＲＲＣシグナリングを使用してより下位のレイヤを構成することに対しての責任を負う。
【００３１】
[0044]  図６は、アクセスネットワークにおいてＵＥ６５０と通信状態にあるｅＮＢ６１０のブロック図である。ＤＬでは、コアネットワークからの上位レイヤパケットが、コントローラ／プロセッサ６７５に提供される。コントローラ／プロセッサ６７５は、Ｌ２レイヤの機能性をインプリメントする。ＤＬにおいて、コントローラ／プロセッサ６７５は、ヘッダ圧縮、暗号化、パケットセグメンテーションおよび並び替え、論理チャネルとトランスポートチャネルとの間の多重化、および様々な優先度メトリックに基づくＵＥ６５０への無線リソース割り振りを提供する。コントローラ／プロセッサ６７５はまた、ＨＡＲＱ動作、損失パケットの再送信、およびＵＥ６５０へのシグナリングに対しての責任を負う。
【００３２】
[0045]  送信（ＴＸ）プロセッサ６１６は、Ｌ１レイヤ（すなわち、物理レイヤ）に関する様々な信号処理機能をインプリメントする。信号処理機能は、ＵＥ６５０における前方誤り訂正（ＦＥＣ）を容易にするためにコーディング（coding）およびインターリーブすること、および様々な変調方式（たとえば、二位相偏移変調（ＢＰＳＫ）、四位相偏移変調（ＱＰＳＫ）、Ｍ位相偏移変調（Ｍ−ＰＳＫ）、Ｍ値直交振幅変調（Ｍ−ＱＡＭ））に基づいて信号コンステレーションにマッピングすることを含む。コーディングおよび変調されたシンボルは、その後、複数の並列ストリームに分けられる。各ストリームは、その後、時間ドメインＯＦＤＭシンボルストリームを搬送する物理チャネルを生成するために、ＯＦＤＭサブキャリアにマッピングされ、時間および／または周波数ドメインにおいて基準信号（たとえば、パイロット）と多重化され、その後、逆高速フーリエ変換（ＩＦＦＴ）を使用して、共に組み合わされる。ＯＦＤＭストリームは、複数の空間ストリームを生成するために空間的にプリコーディングされる。チャネル推定器６７４からのチャネル推定値は、空間処理のためだけでなく、コーディングおよび変調方式を決定するためにも使用され得る。チャネル推定値は、ＵＥ６５０によって送信されたチャネル状態フィードバックおよび／または基準信号から導出され得る。各空間ストリームは、その後、別個の送信機６１８ＴＸを介して異なるアンテナ６２０に提供され得る。各送信機６１８ＴＸは、送信のためのそれぞれの空間ストリームを用いてＲＦキャリアを変調し得る。
【００３３】
[0046]  ＵＥ６５０において、各受信機６５４ＲＸは、それのそれぞれのアンテナ６５２を通じて信号を受信する。各受信機６５４ＲＸは、ＲＦキャリア上に変調された情報を復元し、受信（ＲＸ）プロセッサ６５６にその情報を提供する。ＲＸプロセッサ６５６は、Ｌ１レイヤの様々な信号処理機能をインプリメントする。ＲＸプロセッサ６５６は、ＵＥ６５０を宛先とする任意の空間ストリームを復元するために、情報に対して空間処理を行い得る。複数の空間ストリームがＵＥ６５０を宛先とする場合、それらは、ＲＸプロセッサ６５６によって単一のＯＦＤＭシンボルストリームへと組み合わされ得る。ＲＸプロセッサ６５６は、その後、高速フーリエ変換（ＦＦＴ）を使用して、ＯＦＤＭシンボルストリームを時間ドメインから周波数ドメインに変換する（converts）。周波数ドメイン信号は、ＯＦＤＭ信号の各サブキャリアのために別個のＯＦＤＭシンボルストリームを備える。各サブキャリア上のシンボル、および基準信号は、ｅＮＢ６１０によって送信された最も可能性の高い信号コンステレーションポイントを決定することによって復元および復調される。これらの軟判定は、チャネル推定器６５８によって計算されたチャネル推定値に基づき得る。それら軟判定は、その後、物理チャネル上でｅＮＢ６１０によって元々送信された制御信号およびデータを復元するために、復号およびデインタリーブされる（deinterleaved）。データおよび制御信号は、その後、コントローラ／プロセッサ６５９に提供される。
【００３４】
[0047]  コントローラ／プロセッサ６５９は、Ｌ２レイヤをインプリメントする。コントローラ／プロセッサは、プログラムコードおよびデータを記憶するメモリ６６０に関連付けられることができる。メモリ６６０は、コンピュータ読み取り可能媒体と呼ばれ得る。ＵＬでは、コントローラ／プロセッサ６５９は、コアネットワークからの上位レイヤパケットを復元するために、トランスポートチャネルと論理チャネルとの間の逆多重化、パケットの再組立て、暗号解読（deciphering）、ヘッダ圧縮解除、制御信号処理を提供する。上位レイヤパケットは、その後、データシンク６６２に提供され、それは、Ｌ２レイヤより上の全てのプロトコルレイヤを表す。様々な制御信号もまた、Ｌ３処理のためにデータシンク６６２に提供され得る。コントローラ／プロセッサ６５９はまた、ＨＡＲＱ動作をサポートするために、肯定応答（ＡＣＫ）および／または否定応答（ＮＡＣＫ）プロトコルを使用する誤り検出に対しての責任を負う。
【００３５】
[0048]  ＵＬでは、データソース６６７は、コントローラ／プロセッサ６５９に上位レイヤパケットを提供するために使用される。データソース６６７は、Ｌ２レイヤより上の全てのプロトコルレイヤを表す。ｅＮＢ６１０によるＤＬ送信に関して説明された機能性と同様に、コントローラ／プロセッサ６５９は、ヘッダ圧縮、暗号化、パケットセグメンテーションおよび並び替え、およびｅＮＢ６１０による無線リソース割り振りに基づいた論理チャネルとトランスポートチャネルとの間の多重化を提供することによって、ユーザプレーンおよび制御プレーンに関するＬ２レイヤをインプリメントする。コントローラ／プロセッサ６５９はまた、ＨＡＲＱ動作、損失パケットの再送信、およびｅＮＢ６１０へのシグナリングに対しての責任を負う。
【００３６】
[0049]  ｅＮＢ６１０によって送信されるフィードバックまたは基準信号からチャネル推定器６５８によって導出されるチャネル推定値は、適切なコーディングおよび変調方式を選択するために、および空間処理を容易にするためにＴＸプロセッサ６６８によって使用され得る。ＴＸプロセッサ６６８によって生成された空間ストリームは、別個の送信機６５４ＴＸを介して異なるアンテナ６５２に提供され得る。各送信機６５４ＴＸは、送信のためのそれぞれの空間ストリームを用いてＲＦキャリアを変調し得る。
【００３７】
[0050]  ＵＬ送信は、ＵＥ６５０における受信機機能に関連して説明されたものと同様の方法でｅＮＢ６１０で処理される。各受信機６１８ＲＸは、それのそれぞれのアンテナ６２０を通じて信号を受信する。各受信機６１８ＲＸは、ＲＦキャリア上に変調された情報を復元し、ＲＸプロセッサ６７０にその情報を提供する。ＲＸプロセッサ６７０は、Ｌ１レイヤをインプリメントし得る。
【００３８】
[0051]  コントローラ／プロセッサ６７５は、Ｌ２レイヤをインプリメントする。コントローラ／プロセッサ６７５は、プログラムコードおよびデータを記憶するメモリ６７６に関連付けられることができる。メモリ６７６は、コンピュータ読み取り可能媒体と呼ばれ得る。ＵＬにおいて、コントローラ／プロセッサ６７５は、ＵＥ６５０からの上位レイヤパケットを復元するために、トランスポートチャネルと論理チャネルとの間の逆多重化、パケットの再組立て、暗号解読、ヘッダ圧縮解除、制御信号処理を提供する。コントローラ／プロセッサ６７５からの上位レイヤパケットは、コアネットワークに提供され得る。コントローラ／プロセッサ６７５はまた、ＨＡＲＱ動作をサポートするために、ＡＣＫおよび／またはＮＡＣＫプロトコルを使用する誤り検出に対しての責任を負う。
【００３９】
[0052]  基地局から複数のワイヤレスデバイス（たとえば、ＵＥ）への通信のような、グループ通信は、ますます広がってきた。公衆安全の文脈において、グループ通信は、警察官、消防士、および／または医療に携わる職員のグループに公衆安全情報を通信するために使用され得る。商業使用の事例において、グループ通信は、複数のデバイスに、映像、ユーザアプリケーション、および／またはリアルタイムトラフィック情報を送るために使用され得る。グループ通信は、ＭＢＭＳを使用して成し遂げられ得る。ＭＢＭＳにおいて、マルチメディアは、マルチキャストブロードキャスト単一周波数ネットワーク（ＭＢＳＦＮ：a Multicast Broadcast Single Frequency Network）エリアに属する複数の基地局によって送信され得る。しかしながら、ＭＢＳＦＮエリアおよびＭＢＳＦＮサブフレーム構成は、比較的静的であり得る。ＭＢＭＳは、セル同期を使用する多数の（a large number of）加入するセルを有する環境によく適している。同じグループ通信のサービスを受信することに関心がある複数のユーザを有する単一の（または孤立化した）セルの事例においては、ＭＢＭＳは、さほど効果的ではない（less efficient）可能性がある。下記において述べられるように、ポイントツーマルチポイント（ＰＴＭ）送信は、単一のセルの状況において、データを効果的に送信するために使用され得る。ＰＴＭ通信において、データは、共有された共通チャネル（たとえば、ＰＤＳＣＨ）を介して、単一のポイント（たとえば、基地局）から複数のユーザに送信される。ＰＴＭ通信を送信するためのリソースは、ＰＤＣＣＨを介してより動的に割り振られ得る。ＰＴＭ通信はまた、セル同期が、エリアまたはオペレータ構成に起因して難しいとき、ＭＢＭＳ通信よりも大きな利点を提供し得る。
【００４０】
[0053]  図７は、ポイントツーマルチポイント（ＰＴＭ）通信システム７００の図である。ＰＴＭ通信システム７００は、基地局７０２およびいくつかの（a number of）ＵＥ７０４、７０６、７０８、７１０を含み得る。ＵＥ７０４、７０６、７０８、７１０は、公衆安全に関する重大な通信に関する、または商業的な用途（たとえば、映像のダウンロード）に関するグループコール／サービスまたはデータサービスを受信することに関心がある可能性がある。基地局７０２は、ＵＥ７０４、７０６、７０８、７１０に（ブロードキャスト／マルチキャストを介して）ＰＴＭデータを送信すること７１２によって、ＵＥ７０４、７０６、７０８、７１０に要求されたデータサービスを提供し得る。ＰＴＭデータは、ＰＤＳＣＨにマッピングされたリソースブロック上で、送信され７１２得る。ＰＴＭデータを要求した全てのＵＥ７０４、７０６、７０８、７１０は、同じＰＤＳＣＨ上でＰＴＭデータを受信し得る。ＰＴＭデータは、識別子に基づいて符号化される（またはスクランブルされる）巡回冗長検査（ＣＲＣ：a cyclic redundancy check）を含み得る。一態様において、識別子は、グループ無線ネットワークテンポラリ識別子（Ｇ−ＲＮＴＩ：group radio network temporary identifier）であり得、それは、基地局７０２を介してネットワークから受信され得る。識別子は、ＵＥ７０４、７０６、７０８、７１０によって要求されたデータサービス（たとえば、ＰＴＭデータサービスまたはグループサービス）に固有（unique）であり得、および識別子はまた、基地局７０２によってサービングされる（served）エリア内において固有であり得る。一態様において、識別子は、同じデータサービスを受信することに関心があるＵＥの（たとえば、警察官、消防士等の）グループに関連付けられ得る。そのデータサービスを要求する全てのＵＥ７０４、７０６、７０８、７１０は、同じ識別子（またはＧ−ＲＮＴＩ）でＰＴＭデータを復号し得る。
【００４１】
[0054]  基地局７０２がＰＴＭデータを送信７１２した後、ＵＥ７０４は、たとえば、ＰＤＳＣＨ上でＰＴＭデータを受信し得、ＰＴＭデータのＣＲＣをスクランブルするために使用された識別子に基づいて、ＰＴＭデータを復号することを試み得る。一態様において、ＵＥ７０４は、基地局７０２から、ＵＥ７０４が受信することを望む特定のデータサービスに対応する１つまたは複数の識別子を示す構成情報を受信し得る。ＵＥ７０４は、要求されたサービスのタイプに基づいて、ＰＴＭデータを復号するために使用されるべき適した識別子を決定し得る。適した識別子を決定した後、ＵＥ７０４は、ＰＴＭデータに含まれるＣＲＣを復号すること、および何らかのエラーが検出されるかどうかを決定することを試み得る。
【００４２】
[0055]  ＵＥ７０４がＰＴＭデータを成功裏に復号するかどうかに依存して、ＵＥ７０４は、復号の試みに基づいて、基地局７０２にフィードバック情報７１４を提供するべきかどうかを決定し得る。１つの構成において、ＵＥ７０４が、識別子に基づいて、ＰＴＭデータを成功裏に復号する場合、そのＵＥは、基地局７０２に、ＰＴＭデータが成功裏に受信および復号されたことを示すフィードバック情報７１４を送り得る。１つの構成において、フィードバック情報７１４は、肯定応答（ＡＣＫ）であり得る。代替的に、ＵＥ７０４は、ＰＴＭデータを成功裏に復号することにもかかわらず、フィードバック情報７１４を送信しない可能性がある。別の構成において、フィードバック情報７１４は、チャネル品質情報を含み得る。
【００４３】
[0056]  別の構成において、ＵＥ７０４が識別子に基づいてＰＴＭデータを成功裏に復号しない場合、ＵＥ７０４は、基地局７０２に、ＰＴＭデータが成功裏に受信および復号されなかったことを示すフィードバック情報７１４を送信し得る。一態様において、フィードバック情報７１４は、ＮＡＣＫであり得る。別の態様において、ＵＥ７０４は、ＰＵＣＣＨのような、アップリンク制御チャネルにマッピングされたアップリンクリソース上でフィードバック情報７１４を送信し得、およびＰＵＣＣＨは、識別子に関連付けられ得る。ＵＥ７０４は、基地局７０２から受信された、ダウンリンク制御情報（ＤＣＩ）メッセージのような、ダウンリンク制御チャネルメッセージに基づいて、アップリンクリソースを識別し得る。ダウンリンク制御チャネルメッセージは、ＰＤＣＣＨにおいて受信され得る。ＵＥ７０４によって要求されたグループサービスに関連付けられた各ＰＤＣＣＨメッセージ（たとえば、ＤＣＩメッセージ）は、識別子（たとえば、ＰＤＣＣＨ  Ｇ−ＲＮＴＩ）でスクランブルされたＣＲＣを含み得る。ＰＤＣＣＨは、基地局７０２がＰＴＭデータを送信するＰＤＳＣＨにおけるリソースを示し得る。識別子でＰＤＣＣＨを復号することによって、ＵＥ７０４は、いつＰＴＭデータが、ＰＤＳＣＨ上にスケジューリングされるかを決定し得る。ＵＥ７０４はまた、ＰＤＣＣＨに基づいて、ＰＵＣＣＨ上のどのアップリンクリソースでフィードバック情報７１４を送信７１２すべきかを決定し得る。一態様において、ＵＥ７０４は、識別子（たとえば、Ｇ−ＲＮＴＩ）に関連付けられたＰＤＣＣＨにおいて含まれる制御チャネル要素（ＣＣＥ）インデックスに基づいて、どのＰＵＣＣＨリソース上で送信するべきかを決定し得る。一態様において、ＣＣＥインデックスは、連続したリソースのセット内のリソースを識別し得る。
【００４４】
[0057]  別の態様において、ＵＥ７０４がＰＴＭデータを成功裏に復号するかどうかに基づいて、ＵＥ７０４がフィードバック情報７１４（たとえば、ＡＣＫ／ＮＡＣＫ）を送ることを決定するとき、ＵＥ７０４は、１つのＰＵＣＣＨリソース上でＡＣＫを送り得、および異なるＰＵＣＣＨリソース上でＮＡＣＫを送り得る。たとえば、ＵＥ７０４は、ＮＡＣＫ／ＡＣＫを送るために、識別子（たとえば、Ｇ−ＲＮＴＩ）に関連付けられたＰＤＣＣＨに含まれるＣＣＥインデックスに基づいて、どのＰＵＣＣＨリソース上で送信するべきかを決定し得、ネットワークは、ＵＥ７０４がＮＡＣＫ／ＡＣＫを送るための、別のＰＵＣＣＨリソースを構成し得る。追加のＰＵＣＣＨリソースは、各Ｇ−ＲＮＴＩに関する構成情報（たとえば、単一セルのＰＴＭ（ＳＣ−ＰＴＭ）構成メッセージ）においてシグナリングされることができる。別の態様において、ＰＴＭデータを正しく復号する全てのＵＥは、ＡＣＫを送るための共通のＵＬリソースを有し得、一方で、ＰＴＭデータを復号しない（fail to）全てのＵＥは、ＮＡＣＫを送るための異なる共通のＵＬリソースを有し得る。
【００４５】
[0058]  別の態様において、ＰＤＣＣＨにおいてＤＣＩメッセージを使用する動的スケジューリングの代わりに、半持続性スケジューリング（ＳＰＳ：semi-persistent scheduling）が使用され得る。ＳＰＳは、基地局７０２に、１つのサブフレームよりも長い時間期間の間、半静的（semi-statically）に、ワイヤレスリソースを構成およびＵＥ７０４に割り振ることを可能にさせる。ＳＰＳが構成される場合、ＵＥ７０４は、ＰＵＣＣＨ上で４つまでの（up to）半静的（semi-static）アップリンクリソースを受信するように構成され得る。ＳＰＳ  Ｇ−ＲＮＴＩに基づいてスクランブルされたＰＤＣＣＨを受信すると、ＵＥ７０４は、ＳＰＳ識別子（たとえば、ＳＰＳ  Ｇ−ＲＮＴＩ）に基づいて、ＰＤＣＣＨを復号し得、および４つのアップリンクリソースのうちのどのアップリンクリソースが、フィードバック情報７１４を送信するために、ＵＥ７０４によって使用され得るかを決定し得る。たとえば、ＳＰＳシグナリングは、フィードバック情報７１４を送信するために使用され得る４つのリソースのうちの１つを識別するビットのセット（たとえば、２ビット）を含み得る。ＳＰＳシグナリングは、ＰＴＭデータにおけるＣＲＣをスクランブルするために使用されたＳＰＳ識別子に関連付けられ得るので、ＵＥ７０４は、ＵＥ７０４向けの（intended for）ＳＰＳシグナリングを識別し得る。一態様において、ＳＰＳ識別子は、（ＳＰＳが構成されないときの、ＰＤＣＣＨ  Ｇ−ＲＮＴＩとは対照的に）ＳＰＳ  Ｇ−ＲＮＴＩであり得る。別の態様において、ＵＥ７０４が、ＰＴＭデータを成功裏に復号するかどうかに基づいて、ＵＥ７０４がフィードバック情報（たとえば、ＡＣＫ／ＮＡＣＫ）を送るとき、フィードバック情報を送信するための追加のＰＵＣＣＨリソースは、各Ｇ−ＲＮＴＩに関するＳＣ−ＰＴＭ構成において、シグナリングされ得る。
【００４６】
[0059]  別の態様において、ＵＥ７０４は、基地局７０２における二次サービングセルに関連付けられた二次コンポーネントキャリア上で、ＰＴＭデータを受信し得る。この態様において、基地局７０２は、フィードバック情報７１４を送信するための一次サービングセル上のＰＵＣＣＨ上で半静的（または半持続性）に１つまたは複数のリソースを構成し得る。ＵＥ７０４は、基地局７０２における一次サービングセルに関連付けられた一次コンポーネントキャリア上で、フィードバック情報７１４（たとえば、ＡＣＫ／ＮＡＣＫ）を送信し得る。この例は、一次サービングセルおよび二次サービングセルが同じ基地局７０２に関連付けられ得ることを提供するが、一次サービングセルおよび二次サービングセルはまた、異なる基地局にも関連付けられ得る。
【００４７】
[0060]  別の態様において、ＰＤＣＣＨ上で受信されたＤＣＩメッセージは、アップリンク情報が、基地局７０２にＰＵＣＣＨ（および／またはＰＵＳＣＨ）上で送信される電力レベルを示す、１つまたは複数の送信電力制御（ＴＰＣ）ビットのような、電力制御コマンドを含み得る。一態様において、ＵＥ７０４が、データサービス／グループコールに関連付けられた識別子（たとえば、ＰＤＣＣＨ  Ｇ−ＲＮＴＩ）でスクランブルされたＣＲＣを含むＰＤＣＣＨを受信するとき、ＵＥ７０４は、基地局７０２にフィードバック情報７１４を送信するとき、ＤＣＩメッセージにおける電力制御コマンドを無視し得る。代替的に、ネットワークは、ＵＥ７０４がＳＣ−ＰＴＭに関するフィードバックを送信するために、複数のＰＵＣＣＨリソースを構成することができ、ＴＰＣビットは、ＵＥが、どのＵＬリソースがフィードバックを送信するために使用されるかを決定するために、再使用され得る。この態様において、ＴＰＣビットは、フィードバックを送信するためのアップリンクリソースをインデックス付けする（indexing）（または識別する）だけでなく、送信電力をシグナリングする二重の目的（a dual purpose）に役立ち得る。
【００４８】
[0061]  別の態様において、ＵＥ７０４がアイドルモード／状態にある間（while）、ＵＥ７０４は、ＰＴＭデータを受信し得、基地局７０２にフィードバック情報７１４を送信し得る。ＵＥ７０４は、既に識別子で構成され得るので、ＵＥ７０４は、ＰＴＭデータを受信するために接続されたモードにいる必要がない。アイドルモードにある間、ＵＥ７０４は、ＰＤＳＣＨ上のＰＴＭデータを受信するためのリソースを識別するために、識別子でスクランブルされたＣＲＣを有するＰＤＣＣＨを復号し得る。ＵＥ７０４は、ＵＥ７０４が、タイミング調整（またはタイミングアドバンス（timing advance））が小さいスモールセルにあるとき、アイドルモードにおいて、フィードバック情報７１４を送信し得る。スモールセルにおいて、アイドル状態のＵＥにとってのタイミング同期は、課題ではない可能性がある。
【００４９】
[0062]  別の態様において、ＵＥ７０４が低電力レベルにある間、ＵＥ７０４は、ＰＴＭデータを受信し得る。ＵＥ７０４がＰＴＭデータを復号することに失敗する場合、ＵＥ７０４は、失敗に終わった復号に基づいて、フィードバック情報７１４を送信し得る。しかしながら、ＵＥ７０４がまた、ＰＵＳＣＨ上で送るべき制御情報またはデータを有する場合、ＵＥ７０４は、ＰＵＳＣＨ送信またはＰＵＣＣＨ上のフィードバック情報７１４送信のいずれかを優先させ得る。一態様において、電力レベルが低く、ＵＥ７０４がＰＵＳＣＨ送信および送信するべきフィードバック情報７１４の両方を有するとき、ＵＥ７０４は、ＰＵＳＣＨ送信を送り得、およびフィードバック情報７１４を送信するために残りの電力を使用し得る。ＰＵＳＣＨ送信の後に不十分な電力が残る場合、ＵＥ７０４は、フィードバック情報７１４を送信しない可能性がある。別の態様において、ＵＥ７０４は、フィードバック情報７１４を送信し得、ＰＵＳＣＨを送信するために、任意の残りの電力を使用し得る。ＰＵＣＣＨ送信の後に不十分な電力が残る場合、ＵＥ７０４は、ＰＵＳＣＨを送信しない可能性がある。
【００５０】
[0063]  別の構成において、ＵＥ７０４は、フィードバック情報７１４（たとえば、ＡＣＫ／ＮＡＣＫ）と同じ時間に送信するためのユニキャスト制御情報を有し得る。ユニキャスト制御情報は、チャネル品質インジケータ（ＣＱＩ）、スケジューリング要求、ユニキャストＡＣＫ、ユニキャストＮＡＣＫ、または他のユニキャスト制御情報を含み得る。一態様において、ＵＥ７０４は、ＰＴＭデータに関するフィードバック情報７１４（たとえば、ＡＣＫ／ＮＡＣＫ）を送信しないこと、および、その代わりに、ユニキャスト制御情報を送信することを決定し得る。別の態様において、ＵＥ７０４は、ユニキャスト制御情報を送信することを控えること、および、その代わりに、ＰＴＭデータに関するフィードバック情報７１４を送信することを決定し得る。この態様において、フィードバック情報７１４は、識別子（たとえば、ＰＤＣＣＨ  Ｇ−ＲＮＴＩまたはＳＰＳ  Ｇ−ＲＮＴＩ）に関連付けられたアップリンクチャネルリソース（たとえば、ＰＵＣＣＨにマッピングされたリソース）において、送信され得る。さらに別の態様において、フィードバック情報７１４は、ユニキャスト制御情報と一緒に送信され得る。一例において、フィードバック情報７１４は、ＵＥ７０４が、スケジューリング要求を送ることを望むとき、スケジューリング要求リソース上で送信され得る。別の例において、フィードバック情報７１４は、ユニキャストＡＣＫまたはＮＡＣＫと一緒に、両方がランク１送信（たとえば、１空間レイヤ）を使用する場合、送信され得る。ユニキャストＡＣＫ／ＮＡＣＫは、ランク２送信（たとえば、２つの空間レイヤ）に関するフィードバック情報７１４と多重化され得る。フィードバック情報７１４は、ランク２が、ユニキャストまたはＰＴＭデータ送信のいずれかに関して使用される場合、ドロップまたは捨てられ得る。別の例において、ＵＥ７０４が、ＣＱＩをレポートする必要がある場合、フィードバック情報７１４は、ＣＱＩリソース上で送信され得る。別の例において、フォーマット３がＰＵＣＣＨに関して構成される場合、フィードバック情報７１４は、ユニキャストＡＣＫまたはＮＡＣＫと一緒に符号化され得る。フォーマット３は、複数のＡＣＫ／ＮＡＣＫをサポートする。
【００５１】
[0064]  フィードバック情報７１４をユニキャスト制御情報と共に送信するためには、しかしながら、ユニキャスト制御情報およびフィードバック情報７１４の両方が個々のＵＥリソースに含まれることを知るために、基地局７０２は、ＵＥ７０４が特定のグループサービス（またはデータサービス）を受信していることを知る必要があり得る。そのように、ＵＥ７０４は、基地局７０２に情報を送信またはレポートし得、情報は、ＵＥ７０４が特定のグループサービスを受信していることを示し得る。一態様において、情報は、（たとえば、Ｇ−ＲＮＴＩとＴＭＧＩとの間に１対１のマッピング（a one-to-one mapping）があり得る）ＰＴＭデータサービスを固有に識別し得るテンポラリモバイルグループ識別子（ＴＭＧＩ：a temporary mobile group identifier）であり得る。ＵＥ７０４がグループサービスを受信していたことを示すために、ＵＥ７０４が基地局７０２に情報を送信しない場合、基地局７０２は、たとえば、２ビットを有するユニキャスト制御情報のみを予期し（expect）得る。フィードバック情報７１４が、ユニキャスト制御情報と共に送信されるとき、基地局７０２は、ユニキャスト制御情報およびフィードバック情報７１４の両方を適切に復号することを予期するためにビットの数を知る必要があり得る。一例において、フィードバック情報７１４が１ビットを有する場合、基地局７０２に送信される情報は、基地局７０２に、制御情報の３ビットが復号されるべきことを示し得る。
【００５２】
[0065]  さらに別の態様において、ＵＥ７０４は、ユニキャスト制御情報と並行にフィードバック情報７１４を送信し得る。この態様において、フィードバック情報７１４は、識別子（たとえば、Ｇ−ＲＮＴＩ）に関連付けられたアップリンクＰＵＣＣＨリソースにおいて送信され得、および、ユニキャスト制御情報は、異なるＲＮＴＩ（たとえば、セル無線ネットワークテンポラリ識別子（Ｃ−ＲＮＴＩ））に関連付けられたユニキャストＰＵＣＣＨリソースに関連付けられたアップリンクＰＵＣＣＨリソースにおいて、送信され得る。
【００５３】
[0066]  別の構成において、ＵＥ７０４は、フィードバック情報７１４と同じ時間にて、ユニキャストデータを送信することを望む可能性がある。一態様において、ＵＥ７０４が、送信するべきユニキャストデータを有するとき、ＵＥ７０４は、ＰＴＭデータに関するフィードバック情報７１４を送信しないことを決定し得る。別の態様において、ＵＥ７０４は、ユニキャストデータと並行にフィードバック情報７１４を送信し得る。フィードバック情報７１４は、ＰＵＣＣＨにマッピングされ、かつ識別子（たとえば、ＰＤＣＣＨ  Ｇ−ＲＮＴＩ）でスクランブルされたＰＤＣＣＨにおいて識別されたリソース上で送信され得る。ユニキャストデータは、ＰＵＳＣＨにマッピングされ、かつ異なる識別子（たとえば、Ｃ−ＲＮＴＩ）でスクランブルされたＰＤＣＣＨにおいて識別されたリソース上で送信され得る。
【００５４】
[0067]  別の構成において、ＵＥ７０４は、日和見的に、フィードバック情報７１４を送信し得る。つまり、ＵＥ７０４は、ＵＥ７０４が送信するべきユニキャスト制御情報またはユニキャストデータを有するかどうかに基づいて、フィードバック情報７１４を送信するべきかどうかを決定し得る。一態様において、ＵＥ７０４が送信するべきユニキャスト制御情報またはユニキャストデータのいずれも有さないとき、ＵＥ７０４は、フィードバック情報７１４を送信し得る。別の態様において、ＵＥ７０４は、ＵＥ７０４が送信するべきユニキャスト制御情報またはユニキャストデータのいずれかを有するとき、フィードバック情報７１４を送信することを控え得る。
【００５５】
[0068]  別の構成において、ＵＥ７０４がＰＤＳＣＨにおいて受信されたＰＴＭデータを成功裏に復号するかどうかに関わらず、ＵＥ７０４は、フィードバック情報７１４を送信しない可能性がある。
【００５６】
[0069]  フィードバック情報７１４は、ＡＣＫまたはＮＡＣＫとしてこれまで述べられたが、ＰＴＭデータが成功裏に受信および復号されたかどうかを示すフィードバック情報７１４はまた、受信レポート、ＲＲＣフィードバックレポート、または駆動テスト最小化（ＭＤＴ：minimize driving test）レポートのようなレポートであり得る。フィードバック情報７１４は、ＵＥ７０４が、ＰＴＭデータに関するＮＡＣＫを送信するように構成されないときのレポートであり得る。一態様において、ＵＥ７０４は、ＰＴＭデータが成功裏に受信および／または復号されたかどうかを示すために、受信レポート（たとえば、サービスレイヤ受信レポート）を使用し得る。受信レポートは、ＭＢＭＳまたはＰＴＭを介して、ＰＴＭデータが受信されたかどうかを示し得る。受信レポートはまた、ＰＴＭデータが受信された場合、一次サービングセルＩＤおよび／または二次サービングセルＩＤを示し得る。いくつかの事例において、コアネットワークエンティティは、基地局７０２に受信レポートを示し得る。
【００５７】
[0070]  別の態様において、ＵＥ７０４は、ネットワークに受信ステータスを伝達する（convey）ために、ＲＲＣフィードバックレポートまたはＭＤＴレポートを使用し得る。この態様において、ＵＥ７０４は、基地局７０２にＲＲＣフィードバックレポートまたはＭＤＴレポートを送信することができる。どちらのレポートも、識別子（たとえば、Ｇ−ＲＮＴＩ）によってスクランブルされたＣＲＣと共に、ＵＥ７０４によって受信されたデータパケットの第１の数、および識別子に関連付けられた成功裏に復号されたデータパケットの第２の数を含み得る。レポートはまた、ＰＴＭデータに関してＵＥ７０４によって経験されたＢＬＥＲ（ブロックエラーレート）を含み得る。
【００５８】
[0071]  一態様において、基地局７０２は、ＵＥ７０４にいつレポートが送られるべきかを示すことによって、ＲＲＣフィードバックレポートまたはＭＤＴレポートをトリガし得る。基地局７０２は、ＵＥ７０４に構成情報を送信することによって、ブロックエラーレート（ＢＬＥＲ）閾値、測定期間、および／または測定タイマーを構成し得る。構成情報は、ＢＬＥＲの閾値、測定期間、および／または測定タイマーを含み得る。一例において、ＵＥ７０４が、ＢＬＥＲの閾値よりも高いＢＬＥＲでＰＴＭデータを受信するとき、ＵＥ７０４は、たとえば、ＲＲＣフィードバックレポートを送信し得る。別の例において、ＵＥ７０４が、測定期間内で、ＢＬＥＲの閾値よりも高いＢＬＥＲを経験するとき、ＵＥ７０４は、ＲＲＣフィードバックレポートを送信し得る。しかしながら、ＵＥ７０４が、測定期間外の間、ＢＬＥＲの閾値よりも高いＢＬＥＲを経験する場合、ＵＥ７０４は、ＲＲＣフィードバックレポートを送信しない可能性がある。さらに別の例において、ＵＥ７０４が、ＢＬＥＲの閾値よりも高いＢＬＥＲを経験し、および最後のレポートが送信されてから測定タイマーが終了した場合、ＵＥ７０４は、ＲＲＣフィードバックレポートを送信し得る。さらに別の例において、ＢＬＥＲが、ＢＬＥＲの閾値を下回るか、または測定タイマーが終了していないかのいずれかの場合、ＵＥ７０４は、ＲＲＣフィードバックレポートを送信しない可能性がある。
【００５９】
[0072]  フィードバック情報７１４を受信すると、基地局７０２は、ＵＥ７０４にＰＴＭデータを再送信７１６するために、フィードバック情報７１４を利用（utilize）し得る。予め述べられたように、フィードバック情報７１４は、ＮＡＣＫまたはレポート（たとえば、受信レポート、ＲＲＣフィードバックレポート、またはＭＤＴレポート）であり得る。１つの構成において、基地局７０２は、フィードバック情報７１４に基づいて、ＭＣＳ、送信モード構成（たとえば、単一アンテナポートからの送信、送信ダイバーシチ、空間多重化、ＭＩＭＯ等）、および／または再送信の回数（たとえば、２回の再送信）を調整し得る。調整されたＭＣＳは、ＰＴＭデータを受信するＵＥのグループに適用され得る。基地局７０２は、固定された回数（for a fixed number of times）、調整されたＭＣＳまたは送信モード構成に基づいてＰＴＭデータを送信し７１６得る。一態様において、基地局７０２は、ＨＡＲＱ再送信を使用してＰＴＭデータを再送信しない可能性がある。ＨＡＲＱベースの再送信において、ＰＴＭデータは、ＮＡＣＫが受信されるたびに（each time）、再送信されることになる。それにもかかわらず、ＰＴＭデータに関する固定された（または事前に決定された）再送信の回数が、可能であり得る。それら再送信は、連続的で（contiguous）ある（たとえば、それら再送信が、間に他のデータ送信がなく、相次いで（one after the other）起こる）か、または非連続的（non-contiguous）であり得る（たとえば、それら再送信の間に他のデータ送信が起こり得る）。
【００６０】
[0073]  別の構成において、基地局７０２が、ＰＴＭデータが成功裏に復号されなかったことを示すフィードバック情報７１４を受信するとき、基地局７０２は、ＰＴＭデータを再送信７１６し得る。一態様において、ＵＥ７０４が、二次サービングセル上でＰＴＭデータを受信するとき、ＵＥ７０４は、一次サービングセル上でフィードバック情報７１４を送信し得、それは、二次サービングセルとは異なるＴＤＤアップリンク／ダウンリンク構成を有し得る。この態様において、二次サービングセルは、ＰＴＭデータを送信する前に、残りのＵＥ７０６、７０８、７１０のうちの１つまたは複数が、フィードバック情報を送るために、最も長い応答時間（たとえば、ＴＤＤに基づいて１５ｍｓ）を待つ必要があり得る。この態様において、ＵＥ７０４は、ＰＴＭデータが成功裏に復号されなかったことを決定すると、ＰＴＭデータをバッファし得る。ＵＥ７０４は、遅延に基づいて、ある時間期間の間（for a period of time）、ＰＴＭデータをバッファし得る。遅延は、残りのＵＥ７０６、７０８、７１０がフィードバック情報を送信するために使用し得る時間量に関連付けられた第１の時間遅延、および二次サービングセルがＰＴＭデータを再送信７１６する前に待つ時間量に関連付けられた第２の時間遅延に基づき得る。一態様において、Ｇ−ＲＮＴＩに関するＨＡＲＱインタレースの数は、最も長い遅延に基づき得、およびソフトバッファビットは、最大数のＨＡＲＱインタレースを構成する（account for）し得る。別の態様において、同時に起こるＣ−ＲＮＴＩおよびＧ−ＲＮＴＩ受信（reception）がサポートされている場合、Ｃ−ＲＮＴＩに関連付けられた再送信につき１つ、およびＧ−ＲＮＴＩに関連付けられた再送信につき別の１つの、別個のソフトバッファが必要とされる。
【００６１】
[0074]  一態様において、基地局７０２は、地理的エリア内の全ての加入者（たとえば、ＵＥ７０４、７０６、７０８、７１０）またはＵＥのサブセット（たとえば、ＵＥ７０４、７０６）にＰＴＭデータを送信し７１４得る。基地局７０２は、サービス加入レベル（たとえば、公衆安全に携わる職員に関連付けられたサービス加入またはプレミアム映像のダウンロードに関するサービス加入）に基づいて、どのＵＥがデータサービスを受信するかを決定し得る。
【００６２】
[0075]  図７は、基地局７０２にＰＴＭデータに関するフィードバック情報７１４を送信するＵＥ７０４を例示するが、任意の数のＵＥ（たとえば、ＵＥ７０６、７０８、７１０）はまた、基地局７０２にＰＴＭデータを再送信することを可能にさせる目的で、基地局７０２にそれぞれフィードバック情報を送信し得る。たとえば、ＵＥ７０６、７０８、７１０が、グループサービスを受信するためのＵＥ７０４と同じグループの一部である場合、ＵＥ７０６、７０８、７１０はまた、ＵＥ７０４と同じＰＵＣＣＨリソース上で、フィードバック情報（たとえば、ＡＣＫ／ＮＡＣＫ）を送り得る。ＵＥ７０４、７０６、７０８、７１０は、同じアップリンクリソース上でフィードバック情報を送信するので、ＵＥ７０４、７０６、７０８、７１０は、ＡＣＫおよびＮＡＣＫの両方は送信できない、なぜなら、これは、基地局７０２を混乱させる（confuse）ことになるためである。上で述べられたように、複数のＵＥは、ＰＴＭデータが成功裏に復号されないとき、ＡＣＫを送信せずにＮＡＣＫのみを送信することを選び（elect）得る。
【００６３】
[0076]  図８００は、ワイヤレス通信の方法のフローチャート８００である。方法は、ＵＥ（たとえば、ＵＥ７０４、７０６、７０８、７１０、以下の装置１００２／１００２’）によって、行われ得る。８０２で、ＵＥは、基地局からＰＴＭデータを受信し得る。たとえば、図７を参照すると、ＵＥ７０４は、基地局７０２からＰＴＭデータを受信し得る。
【００６４】
[0077]  ８０４で、ＵＥは、識別子に基づいて、ＰＴＭデータを復号することを試み得る。たとえば、図７を参照すると、ＵＥ７０４は、Ｇ−ＲＮＴＩ（たとえば、ＳＰＳが構成される場合、ＳＰＳ  Ｇ−ＲＮＴＩまたはＰＤＣＣＨ  Ｇ−ＲＮＴＩ）に基づいて、ＰＴＭデータを復号することを試み得る。ＵＥ７０４は、Ｇ−ＲＮＴＩに基づいて、ＣＲＣをデスクランブル（descramble）し、およびＰＴＭデータにおいて何らかのエラーがあるかどうかを決定し得る。
【００６５】
[0078]  ８０６で、ＵＥは、ＰＴＭデータを復号する試みに基づいて、基地局にフィードバック情報を送信するべきかどうかを決定する。その決定は、ＵＥが送信するべきユニキャスト制御情報またはユニキャストデータを有するかどうかにさらに基づき得る。たとえば、図７を参照すると、ＵＥ７０４は、失敗に終わったＰＴＭデータを復号する試みに基づいて、基地局７０２にＮＡＣＫを送信するべきかどうかを決定し得る。ＵＥ７０４が、送信するべきユニキャスト制御情報またはユニキャストデータのいずれかを有する場合、ＵＥ７０４は、ＮＡＣＫを送信することを控えることを決定し得る。しかし、ＵＥ７０４が送信するべきユニキャスト情報を有さない場合、ＵＥ７０４は、ＮＡＣＫを送信することを決定し得る。別の例において、図７を参照すると、ＮＡＣＫが利用可能でない場合、ＵＥ７０４が測定期間内でＢＬＥＲの閾値を上回るＢＬＥＲを経験する場合に、ＵＥ７０４は、ＲＲＣフィードバックレポートを送信し得る。
【００６６】
[0079]  ８０８で、ＵＥは、ＵＥが特定のグループサービスを受信していることを示す情報を送信し得る。たとえば、図７を参照すると、ＵＥ７０４は、ＵＥ７０４が警察官のための公衆安全情報に関連付けられたグループサービスを受信していることを示す情報を送信し得る。
【００６７】
[0080]  ８１０で、ＵＥがＰＴＭデータを成功裏に復号しないとき、ＵＥは、基地局にＰＴＭデータに関するフィードバック情報を送信することを試み得る。たとえば、図７を参照すると、ＵＥ７０４がＰＴＭデータを成功裏に復号しないとき、ＵＥ７０４は、ＰＴＭデータに関して、基地局７０２にＮＡＣＫを送信することを試み得る。ＵＥ７０４が、ＮＡＣＫ送信に優先する他の複数の送信（たとえば、ユニキャスト制御またはユニキャストデータ）を有する場合、ＵＥ７０４は、ＮＡＣＫを送信することを控え得る。
【００６８】
[0081]  ８１２で、ＵＥは、フィードバック情報を送信し（または送信することを試み）得る。フィードバック情報は、受信レポート、ＲＲＣフィードバックレポート、またはＭＤＴレポートのうちの１つであり得る。たとえば、図７を参照すると、ＵＥ７０４は、ＵＥ７０４が、測定期間内でＰＴＭデータを成功裏に復号しないとき、基地局７０２にＲＲＣフィードバックレポートを送信（または送信することを試み）得る。
【００６９】
[0082]  最終的に、８１４で、ＵＥは、遅延に基づいて、ＰＴＭデータをバッファすることを試み得る。たとえば、図７を参照すると、基地局７０２が、二次サービングセル上でＰＴＭデータを送信する場合、ＵＥ７０４は、一次サービングセル上でフィードバック情報を送信し得、遅延に基づいて、ＰＴＭデータをバッファし得る。遅延は、他の複数のＵＥがフィードバック情報を送信するために充てられた時間ウィンドウに、および二次サービングセルがフィードバック情報を受信した後にＰＴＭデータを再送信するために必要とされる時間に基づき得る。バッファされたＰＴＭデータは、再送信されたＰＴＭデータと組み合わせられ得る。
【００７０】
[0083]  図９は、ワイヤレス通信の方法のフローチャート９００である。方法は、基地局（たとえば、ｅＮＢ、基地局７０２、装置１２０２／１２０２’）によって、行われ得る。９０２で、基地局は、ＵＥに、ＢＬＥＲの閾値および／または測定期間に基づいて、フィードバック情報（たとえば、レポート）を送信することを可能にさせるために、ＵＥに、ＢＬＥＲの閾値および／または測定期間を送信し得る。たとえば、図７を参照すると、基地局７０２は、ＵＥ７０４にＢＬＥＲの閾値および／または測定期間を送信し得る。
【００７１】
[0084]  ９０４で、基地局は、ＵＥにＰＴＭデータを送信し得る。たとえば、図７を参照すると、基地局７０２は、ＵＥ７０４にＰＴＭデータを送信し７１２得る。
【００７２】
[0085]  ９０６で、基地局は、送信されたＰＴＭデータに基づいて、ＵＥからフィードバック情報を受信し得る。たとえば、図７を参照すると、基地局７０２は、送信された７１２ＰＴＭデータに基づいて、ＵＥ７０４からフィードバック情報７１４を受信し得る。フィードバック情報７１４は、ＰＴＭデータが、ＰＤＣＣＨ  Ｇ−ＲＮＴＩに基づいて成功裏に復号されなかったことを示すＮＡＣＫであり得る。
【００７３】
[0086]  ９１０で、基地局は、送信されたＰＴＭデータに関連付けられたフィードバック情報に基づいて、ＵＥにＰＴＭデータを再送信し得る。たとえば、図７を参照すると、基地局７０２は、送信されたＰＴＭデータに関連付けられたＮＡＣＫに基づいて、ＵＥ７０４にＰＴＭデータを再送信し得る。一態様において、ＮＡＣＫは、基地局７０２に、ＰＴＭデータに関する送信パラメータが調整されるべきであることを示し得る。そのように、基地局７０２は、ＰＴＭデータを固定された回数（たとえば、３回）再送信することを決定し得る。追加的に、基地局は、第１のＰＴＭデータの送信において使用された最初のＭＣＳとは異なるＭＣＳを使用して、ＰＴＭデータを再送信し得る。
【００７４】
[0087]  図１０は、例となる装置１００２における、異なるモジュール／手段／コンポーネント間のデータフローを例示する概念的なデータフロー図１０００である。装置は、ＵＥであり得る。装置は、受信コンポーネント１００４、復号器コンポーネント１００６、フィードバックコンポーネント１００８、送信コンポーネント１０１０、およびバッファリングコンポーネント１０１２を含む。受信コンポーネント１００４は、基地局１０５０からＰＴＭデータを受信するように構成され得る。復号器コンポーネント１００６は、識別子に基づいて、ＰＴＭデータを復号することを試みるように構成され得る。たとえば、復号器コンポーネント１００６は、受信されたＰＴＭデータ上でＣＲＣを行うために識別子を使用し、およびフィードバックコンポーネント１００８にその結果を提供し得る。エラーが検出されない場合、復号器コンポーネント１００６は、フィードバックコンポーネント１００８に復号が成功したことを示し得る。復号器コンポーネント１００６はまた、成功裏に復号されたＰＴＭデータを復元することを試み得る。エラーが検出された場合、復号器コンポーネント１００６は、フィードバックコンポーネント１００８に復号が成功しなかったことを示し得る。フィードバックコンポーネント１００８は、ＰＴＭデータを復号する試みに基づいて、基地局１０５０にフィードバック情報を送信するべきかどうかを決定するように構成され得る。１つの構成において、フィードバックコンポーネント１００８は、基地局１０５０に、ＰＴＭデータに関するフィードバック情報を送信することを控えるように構成され得る。別の構成において、フィードバックコンポーネント１００８は、装置が、ＰＴＭデータを成功裏に復号するとき、基地局１０５０にフィードバック情報を送信することを控えるように構成され得る。別の構成において、その決定は、さらに、装置の電力レベルに基づき得、および装置が、アップリンク共有チャネル上で送信するべきデータを有するかどうかに基づき得る。送信コンポーネント１０１０は、装置がＰＴＭデータを成功裏に復号しないとき、基地局１０５０へＰＴＭデータに関するフィードバック情報を送信することを試みる（または送信する）ように構成され得る。送信コンポーネント１０１０は、ＵＥが特定のグループサービスを受信していることを示す情報を送信するように構成され得る。バッファリングコンポーネント１０１２は、遅延に基づいて、ある時間期間の間、ＰＴＭデータをバッファするように構成され得る。遅延は、ＰＴＭデータを再送信するための基地局１０５０からの予期された応答時間に基づき得る。一態様において、バッファサイズは、ＰＴＭデータを送信するためのデータレートおよび応答時間に基づいて、決定され得る。一態様において、フィードバック情報は、ＮＡＣＫであり得る。別の態様において、ＰＴＭデータに関するＮＡＣＫは、識別子に関連付けられたダウンリンク制御チャネルメッセージにおいて識別されたアップリンク制御チャネルリソース上で送信され得る。別の態様において、ＰＴＭデータに関するＮＡＣＫは、半持続性スケジューリングにおいて識別されたアップリンク制御チャネルリソース上で送信され得、それは、無���リソースに、半静的に構成されること、および１つのサブフレームよりも長い時間期間の間、ＵＥに割り振られることを可能にさせる。半持続性スケジューリングは、識別子に関連付けられ得る。別の態様において、ＰＴＭデータは、二次サービングセルから受信され得、およびＰＴＭデータに関するＮＡＣＫは、一次サービングセルに送信され得る。一次サービングセルは、接続確立の間に最初に構成されるセルであり得、および制御情報は、一次サービングセル上で、送信され得る。二次サービングセルは、データ送信のためのような、追加の無線リソースを提供するために接続確立の後、構成され得る。別の態様において、ＰＴＭデータに関するＮＡＣＫは、識別子に関連付けられたダウンリンク制御チャネルメッセージにおいて示された電力制御コマンドに基づいて、送信されない。別の態様において、装置は、アイドル状態にある。別の態様において、フィードバックコンポーネント１００８は、ユニキャスト制御情報を送信することを控えるように、および識別子に関連付けられたアップリンクチャネルリソースにおいて、ＰＴＭデータに関するＮＡＣＫを送信することを決定するように構成され得る。別の態様において、ＰＴＭデータに関するＮＡＣＫは、スケジューリング要求リソース上で送信され得る。別の態様において、ＰＴＭデータに関するＮＡＣＫは、ユニキャストＡＣＫまたはユニキャストＮＡＣＫと一緒に送信され得る。別の態様において、ＰＴＭデータに関するＮＡＣＫは、ユニキャストＡＣＫまたはユニキャストＮＡＣＫのいずれかと一緒に符号化され得る。別の態様において、ＰＴＭデータに関するＮＡＣＫは、チャネル品質インジケータリソース上で送信され得る。別の態様において、ＰＴＭデータに関するＮＡＣＫは、ユニキャストデータまたはユニキャスト制御情報と並行に送信され得る。別の態様において、装置が、送信のためのユニキャストデータまたはユニキャスト制御情報を有するとき、装置は、ＰＴＭデータに関するフィードバック情報を送信しないことを決定し得る。別の構成において、送信コンポーネント１０１０は、ＰＴＭデータに関するフィードバック情報を送信することを試みるように構成され得る。フィードバック情報は、受信レポート、ＲＲＣフィードバックレポート、またはＭＤＴレポートのうちの１つであり得る。別の態様において、受信レポートは、一次セル識別子、二次セル識別子、あるいは、データがＭＢＭＳ送信を介して受信されるか、またはＰＴＭ送信を介して受信されるかについてのインジケーションのうちの少なくとも１つを含み得る。別の態様において、ＲＲＣフィードバックレポートまたはＭＤＴレポートは、識別子に関連付けられた受信されたパケットの数、または識別子に関連付けられた成功裏に復号されたパケットの数のうちの少なくとも１つを含み得る。別の態様において、ＲＲＣフィードバックレポートまたはＭＤＴレポートは、ＢＬＥＲの閾値または測定期間のうちの少なくとも１つに基づいて、送信され得る。
【００７５】
[0088]  装置は、前述された図８のフローチャートにおけるアルゴリズムのブロックの各々を行う追加のコンポーネントを含み得る。そのように、前述された図８のフローチャートにおける各ブロックは、コンポーネントによって行われ、装置は、それらのコンポーネントのうちの１つまたは複数を含み得る。コンポーネントは、特に、記載された処理／アルゴリズムを行うように構成された１つまたは複数のハードウェアコンポーネントであるか、記載された処理／アルゴリズムを実行するように構成されたプロセッサによってインプリメントされるか、プロセッサによるインプリメンテーションのためにコンピュータ読み取り可能媒体内に記憶されるか、またはそれらの何らかの組み合わせであり得る。
【００７６】
[0089]  図１１は、処理システム１１１４を用いる装置１００２’についてのハードウェアインプリメンテーションの例を例示する図１１００である。処理システム１１１４は、一般にバス１１２４によって表されるバスアーキテクチャを用いてインプリメントされ得る。バス１１２４は、処理システム１１１４の特定の用途および全体的な設計制約に依存する、任意の数の相互接続バスおよびブリッジを含み得る。バス１１２４は、プロセッサ１１０４、コンポーネント１００４、１００６、１００８、１０１０、１０１２、およびコンピュータ読み取り可能媒体／メモリ１１０６によって表される、１つまたは複数のプロセッサおよび／またはハードウェアコンポーネントを含む様々な回路を互いにリンクする。バス１１２４はまた、タイミングソース、周辺機器、電圧レギュレータ、および電力管理回路のような様々な他の回路をリンクし得るが、それらは、当該技術分野で周知であり、したがって、これ以上は説明されない。
【００７７】
[0090]  処理システム１１１４は、トランシーバ１１１０に結合され得る。トランシーバ１１１０は、１つまたは複数のアンテナ１１２０に結合される。トランシーバ１１１０は、伝送媒体によって様々な他の装置と通信するための手段を提供する。トランシーバ１１１０は、１つまたは複数のアンテナ１１２０から信号を受信し、受信された信号から情報を抽出し、抽出された情報を処理システム１１１４、具体的には受信コンポーネント１００４に提供する。加えて、トランシーバ１１１０は、処理システム１１１４、具体的には送信コンポーネント１０１０から情報を受信し、受信された情報に基づいて、１つまたは複数のアンテナ１１２０に適用されるべき信号を生成する。処理システム１１１４は、コンピュータ読み取り可能媒体／メモリ１１０６に結合されたプロセッサ１１０４を含む。プロセッサ１１０４は、コンピュータ読み取り可能媒体／メモリ１１０６上に記憶されたソフトウェアの実行を含む、一般の処理に対しての責任を負う。ソフトウェアは、プロセッサ１１０４によって実行されたとき、処理システム１１１４に、任意の特定の装置に関して上記に説明された様々な機能を行わせる。コンピュータ読み取り可能媒体／メモリ１１０６はまた、ソフトウェアを実行するとき、プロセッサ１１０４によって操作されるデータを記憶するために使用され得る。処理システムは、コンポーネント１００４、１００６、１００８、１０１０、１０１２のうちの少なくとも１つをさらに含む。コンポーネントは、プロセッサ１１０４中で実行中であり、コンピュータ可読媒体／メモリ１１０６中に存在する／記憶されたソフトウェアコンポーネントであるか、プロセッサ１１０４に結合された１つまたは複数のハードウェアコンポーネントであるか、またはそれらの何らかの組み合わせであり得る。処理システム１１１４は、ＵＥ６５０のコンポーネントであり、メモリ６６０および／またはＴＸプロセッサ６６８、ＲＸプロセッサ６５６、およびコントローラ／プロセッサ６５９のうちの少なくとも１つを含み得る。
【００７８】
[0091]  １つの構成において、ワイヤレス通信のための装置１００２／１００２’は、基地局からＰＴＭデータを受信するための手段を含む。装置は、識別子に基づいて、ＰＴＭデータを復号することを試みるための手段を含む。ＰＴＭデータを復号することを試みるための手段は、要求されたサービスのタイプに基づいて、ＰＴＭデータを復号するために使用されるべき適した識別子を決定するように構成され得る。適した識別子を決定した後、復号することを試みるための手段は、識別子に基づいて、ＰＴＭデータにおけるＣＲＣをデスクランブル（またはデマスク（demask））するように構成され得る。ＰＴＭデータを復号することを試みるための手段は、ＰＴＭデータに基づいてＣＲＣを生成し、およびデスクランブルされたＣＲＣと生成したＣＲＣとを比較し、および何らかのエラーが検出されたかどうかを決定するように、構成され得る。エラーが検出されない場合、復号することを試みるための手段は、ＰＴＭデータを復号するように構成され得る。そうではない場合、復号することを試みるための手段は、復号することの試みが失敗に終わったことを示し得る。装置は、ＰＴＭデータを復号する試みに基づいて、基地局にフィードバック情報を送信するべきかどうかを決定するための手段を含む。一態様において、フィードバック情報を送信するべきかどうかを決定するための手段は、基地局にフィードバック情報を送信することを控えるように構成され得る。別の態様において、フィードバック情報を送信するべきかどうかを決定するための手段は、装置が、ＰＴＭデータを成功裏に復号するとき、基地局にフィードバック情報を送信することを控えるように構成され得る。別の態様において、フィードバック情報を送信するべきかどうかの決定は、装置の電力レベルに基づき得、および装置が、アップリンク共有チャネル上で送信するべきデータを有するかどうかに基づき得る。装置がＰＴＭデータを成功裏に復号しないとき、装置は、基地局にＰＴＭデータに関するフィードバック情報を送信することを試みるための手段を含み得る。送信することを試みるための手段は、基地局にフィードバック情報を送信するべきかどうかを決定するための手段の結果に基づいて、ＰＴＭデータに関するフィードバック情報を送信するように構成され得る。たとえば、ＰＴＭデータが成功裏に復号された場合、送信することを試みるための手段は、フィードバック情報を送信しないように構成され得る。ＰＴＭデータが成功裏に復号されない場合、送信することを試みるための手段は、装置が送信するべきユニキャスト制御情報またはユニキャストデータのいずれも有さないという条件で、フィードバック情報を送信するように構成され得る。装置は、装置が特定のグループサービスを受信していることを示す情報を送信するための手段を含み得る。装置は、遅延に基づいてＰＴＭデータをバッファするための手段を含み得る。別の態様において、ＰＴＭデータをバッファするための手段は、遅延に基づいて、ある時間期間の間、ＰＴＭデータをバッファするように構成され得、遅延は、ＰＴＭデータに関するフィードバック情報を送るために、装置と同じ基地局に関連付けられた全てのＵＥに必要とされる時間の量、および基���局がそのＰＴＭデータを再送信するために必要とされる時間の量に基づき得る。バッファするための手段は、送信されているデータの量およびＰＴＭデータ送信のデータレートに基づいて、バッファサイズを決定するように構成され得る。別の態様において、フィードバック情報は、ＮＡＣＫである。一態様において、ＰＴＭデータに関するＮＡＣＫは、識別子に関連付けられたダウンリンク制御チャネルメッセージにおいて識別されたアップリンク制御チャネルリソース上で送信され得る。別の態様において、ＰＴＭデータに関するＮＡＣＫは、半持続性スケジューリングにおいて識別されたアップリンク制御チャネルリソース上で送信され得る。半持続性スケジューリングは、識別子に関連付けられ得る。別の態様において、ＰＴＭデータは、二次サービングセルから受信され得、およびＰＴＭデータに関するＮＡＣＫは、一次サービングセルに送信され得る。別の態様において、ＰＴＭデータに関するＮＡＣＫは、識別子に関連付けられたダウンリンク制御チャネルメッセージにおいて示された電力制御コマンドに基づいて、送信されない可能性がある。別の態様において、装置は、アイドル状態にある。別の態様において、決定するための手段は、ユニキャスト制御情報を送信することを控えるように構成され得る、およびＰＴＭデータに関するＮＡＣＫは、識別子に関連付けられたアップリンクチャネルリソースにおいて、送信され得る。別の態様において、ＰＴＭデータに関するＮＡＣＫは、スケジューリング要求リソース上で送信され得る。別の態様において、ＰＴＭデータに関するＮＡＣＫは、ユニキャストＡＣＫまたはユニキャストＮＡＣＫと一緒に送信され得る。別の態様において、ＰＴＭデータに関するＮＡＣＫは、ユニキャストＡＣＫまたはユニキャストＮＡＣＫのいずれかと一緒に符号化され得る。別の態様において、ＰＴＭデータに関するＮＡＣＫは、チャネル品質インジケータリソース上で送信され得る。別の態様において、ＰＴＭデータに関するＮＡＣＫは、ユニキャストデータまたはユニキャスト制御情報と並行に送信され得る。別の態様において、装置が、送信のためのユニキャストデータまたはユニキャスト制御情報を有するとき、装置は、ＰＴＭデータに関するフィードバック情報を送信しないことを決定し得る。別の態様において、装置は、フィードバック情報を送信することを試みるための手段を含み得る。フィードバック情報は、受信レポート、ＲＲＣフィードバックレポート、またはＭＤＴレポートのうちの１つであり得る。別の態様において、受信レポートは、一次セル識別子、二次セル識別子、または、データがＭＢＭＳ送信を介して受信されるか、またはＰＴＭ送信を介して受信されるかについてのインジケーションのうちの少なくとも１つを含み得る。別の態様において、ＲＲＣフィードバックレポートまたはＭＤＴレポートは、識別子に関連付けられた受信されたパケットの数、または識別子に関連付けられた成功裏に復号されたパケットの数のうちの少なくとも１つを含み得る。別の態様において、ＲＲＣフィードバックレポートまたはＭＤＴレポートは、ＢＬＥＲの閾値または測定期間のうちの少なくとも１つに基づいて、送信され得る。
【００７９】
[0092]  前述された手段は、前述された手段によって記載された機能を行うように構成された装置１００２’の処理システム１１１４、および／または、装置１００２の前述されたコンポーネントのうちの１つまたは複数であり得る。上記に説明されたように、処理システム１１１４は、ＴＸプロセッサ６６８、ＲＸプロセッサ６５６、およびコントローラ／プロセッサ６５９を含み得る。そのように、一構成において、前述された手段は、前述された手段によって記載された機能を行うように構成されたＴＸプロセッサ６６８、ＲＸプロセッサ６５６、およびコントローラ／プロセッサ６５９であり得る。
【００８０】
[0093]  図１２は、例となる装置１２０２において、異なるモジュール／手段／コンポーネント間のデータフローを例示する概念的なデータフロー図１２００である。装置は、基地局であり得る。装置は、受信コンポーネント１２０４、フィードバックコンポーネント１２０６、および送信コンポーネント１２０８を含む。送信コンポーネント１２０８は、ＵＥ１２５０にＰＴＭデータを送信するように構成され得る。送信コンポーネント１２０８は、送信されたＰＴＭデータに関連付けられたフィードバック情報に基づいて、ＵＥ１２５０にＰＴＭデータを再送信するように構成され得る。一態様において、その再送信は、ＨＡＲＱ再送信に基づかない可能性がある。受信コンポーネント１２０４は、送信されたＰＴＭデータに基づいて、ＵＥ１２５０からフィードバック情報を受信するように構成され得る。一態様において、フィードバック情報は、送信されたＰＴＭデータに関連付けられたレポートまたはＮＡＣＫであり得る。別の態様において、送信コンポーネント１２０８は、フィードバック情報に基づいてＰＴＭデータを再送信するための、ＰＴＭデータの再送信の回数、送信モード、または変調コーディング方式、のうちの少なくとも１つを調整することによってＰＴＭデータを再送信するように構成され得る。さらに別の構成において、送信コンポーネント１２０８は、ＵＥ１２５０に、ＢＬＥＲの閾値および／または測定期間に基づいて、フィードバック情報を送信することを可能にさせるために、ＵＥ１２５０に、ＢＬＥＲの閾値および／または測定期間を送信するように構成され得る。
【００８１】
[0094]  装置は、前述された図９のフローチャートにおけるアルゴリズムのブロックの各々を行う追加のコンポーネントを含み得る。そのように、前述された図９のフローチャートにおける各ブロックは、コンポーネントによって行われ、装置は、それらのコンポーネントのうちの１つまたは複数を含み得る。コンポーネントは、特に、記載された処理／アルゴリズムを行うように構成された１つまたは複数のハードウェアコンポーネントであるか、記載された処理／アルゴリズムを実行するように構成されたプロセッサによってインプリメントされるか、プロセッサによるインプリメンテーションのためにコンピュータ読み取り可能媒体内に記憶されるか、またはそれらの何らかの組み合わせであり得る。
【００８２】
[0095]  図１３は、処理システム１３１４を用いる装置１２０２’についてのハードウェアインプリメンテーションの例を例示する図１３００である。処理システム１３１４は、一般にバス１３２４によって表される、バスアーキテクチャを用いてインプリメントされ得る。バス１３２４は、処理システム１３１４の特定の用途および全体的な設計制約に依存する、任意の数の相互接続バスおよびブリッジを含み得る。バス１３２４は、プロセッサ１３０４、コンポーネント１２０４、１２０６、１２０８、およびコンピュータ読み取り可能媒体／メモリ１３０６によって表された、１つまたは複数のプロセッサおよび／またはハードウェアコンポーネントを含む様々な回路を互いにリンクさせる。バス１３２４はまた、タイミングソース、周辺機器、電圧レギュレータ、および電力管理回路のような様々な他の回路をリンクし得るが、それらは、当該技術分野で周知であり、したがって、これ以上は説明されない。
【００８３】
[0096]  処理システム１３１４は、トランシーバ１３１０に結合され得る。トランシーバ１３１０は、１つまたは複数のアンテナ１３２０に結合される。トランシーバ１３１０は、伝送媒体によって様々な他の装置と通信するための手段を提供する。トランシーバ１３１０は、１つまたは複数のアンテナ１３２０から信号を受信し、受信された信号から情報を抽出し、処理システム１３１４、具体的には受信コンポーネント１２０４に抽出された情報を提供する。加えて、トランシーバ１３１０は、処理システム１３１４、具体的には送信コンポーネント１２０８から情報を受信し、受信された情報に基づいて、１つまたは複数のアンテナ１３２０に適用されるべき信号を生成する。処理システム１３１４は、コンピュータ読み取り可能媒体／メモリ１３０６に結合されたプロセッサ１３０４を含む。プロセッサ１３０４は、コンピュータ読み取り可能媒体／メモリ１３０６上に記憶されたソフトウェアの実行を含む、一般の処理に対しての責任を負う。このソフトウェアは、プロセッサ１３０４によって実行されると、処理システム１３１４に、任意の特定の装置に関して上記に説明される様々な機能を行わせる。コンピュータ読み取り可能媒体／メモリ１３０６はまた、ソフトウェアを実行するとき、プロセッサ１３０４によって操作されるデータを記憶するために使用され得る。処理システムはさらに、コンポーネント１２０４、１２０６および１２０８のうちの少なくとも１つを含む。コンポーネントは、プロセッサ１３０４中で実行中であり、コンピュータ可読媒体／メモリ１３０６中に存在する／記憶されたソフトウェアコンポーネントであるか、プロセッサ１３０４に結合された１つまたは複数のハードウェアコンポーネントであるか、またはそれらの何らかの組み合わせであり得る。処理システム１３１４は、ｅＮＢ  ６１０のコンポーネントであり得、メモリ６７６および／またはＴＸプロセッサ６１６、ＲＸプロセッサ６７０、およびコントローラ／プロセッサ６７５のうちの少なくとも１つを含み得る。
【００８４】
[0097]  １つの構成において、ワイヤレス通信のための装置１２０２／１２０２’は、ＵＥにＰＴＭデータを送信するための手段を含む。装置は、送信されたＰＴＭデータに関連付けられたフィードバック情報に基づいて、ＵＥにＰＴＭデータを再送信するための手段を含む。一態様において、その再送信は、ＨＡＲＱ再送信に基づかない可能性がある。装置は、送信されたＰＴＭデータに基づいて、ＵＥからフィードバック情報を受信するための手段を含み得る。一態様において、フィードバック情報は、送信されたＰＴＭデータに関連付けられたレポートまたはＮＡＣＫであり得る。別の態様において、ＰＴＭデータを再送信するための手段は、フィードバック情報に基づいてＰＴＭデータを再送信するための、ＰＴＭデータの再送信の回数、送信モード、または変調コーディング方式、のうちの少なくとも１つを調整するように構成され得る。たとえば、ＢＬＥＲが高い場合、その送信するための手段は、固定された送信の回数を増加させることのような、より多くの送信パラメータを調整すること、および／または単一のアンテナ構成から空間多重構成に送信モードを変更することを行うように構成され得る。ＢＬＥＲが低い場合、その再送信するための手段は、ただ固定された再送信の回数を増加させることだけのような、より少ない送信パラメータを調整し得、さもなければ、送信するための手段は、それらパラメータを全く調整しない（たとえば、現在の、再送信の固定された回数、送信モード、およびＭＣＳを維持する）可能性がある。別の構成において、ＵＥに、ＢＬＥＲの閾値および／または測定期間に基づいて、フィードバック情報を送信することを可能にさせるために、装置は、ＵＥにＢＬＥＲの閾値および／または測定期間を送信するための手段を含み得る。前述された手段は、前述された手段によって記載される機能を行うように構成される装置１２０２’の処理システム１３１４および／または装置１２０２の前述されたコンポーネントのうちの１つまたは複数であり得る。上記に説明されたように、処理システム１３１４は、ＴＸプロセッサ６１６、ＲＸプロセッサ６７０、およびコントローラ／プロセッサ６７５を含み得る。そのように、一構成において、前述された手段は、前述された手段によって記載された機能を行うように構成されたＴＸプロセッサ６１６、ＲＸプロセッサ６７０、およびコントローラ／プロセッサ６７５であり得る。
【００８５】
[0098]  開示されたプロセス／フローチャートにおけるブロックの特定の順序または階層は、例となるアプローチの例示であることが理解される。設計の選好に基づいて、これらプロセス／フローチャートにおけるブロックの特定の順序または階層は、再配置され得ることが理解される。さらに、いくつかのブロックは、組み合わされるか、または省略され得る。添付の方法の請求項は、サンプルの順序で様々なブロックの要素を提示しているが、提示された特定の順序または階層に限定されるようには意図されない。
【００８６】
[0099]  先の説明は、当業者に、本明細書に説明された多様な態様を実施することを可能にさせるために提供されている。これらの態様への様々な修正は、当業者にとって容易に明らかとなり、本明細書において定義された包括的な原理は、他の態様に適用され得る。このように、特許請求の範囲は、本明細書に示される態様に限定されるように意図されたものではなく、特許請求の範囲の文言と矛盾しない最大範囲であると認められるべきであり、ここにおいて、単数のエレメントへの参照は、そのように明確に記載されていない限り、「１つおよび１つのみ」を意味するのではなく、むしろ「１つまたは複数」を意味するように意図されている。「例となる（exemplary）」という用語は、「例、事例、または例示として役立つこと」を意味するために本明細書で使用される。「例となる」ものとして本明細書に説明された何れの態様も、必ずしも、他の態様よりも好ましいまたは有利であると解釈されるべきではない。そうではないと明確に述べられていない限り、「いくつかの」という用語は、１つまたは複数を指す。「Ａ、Ｂ、またはＣのうちの少なくとも１つ」、「Ａ、Ｂ、およびＣのうちの少なくとも１つ」、および「Ａ、Ｂ、Ｃ、またはそれらの任意の組み合わせ」のような組み合わせは、Ａ、Ｂ、および／またはＣの任意の組み合わせを含み、複数のＡ、複数のＢ、または複数のＣを含み得る。具体的には、「Ａ、Ｂ、またはＣのうちの少なくとも１つ」、「Ａ、Ｂ、およびＣのうちの少なくとも１つ」、および「Ａ、Ｂ、Ｃ、またはそれらの任意の組み合わせ」のような組み合わせは、Ａのみ、Ｂのみ、Ｃのみ、ＡとＢ、ＡとＣ、ＢとＣ、またはＡとＢとＣであり得、ここで、任意のそのような組み合わせは、Ａ、Ｂ、またはＣの１つまたは複数のメンバーあるいは複数のメンバーを含み得る。当業者に知られている、または後に知られることとなる、本開示全体を通じて説明された様々な態様の要素と全ての構造的および機能的に同等なものは、参照によって本明細書に明確に組み込まれ、特許請求の範囲によって包含されるように意図される。その上、本明細書のどの開示も、そのような開示が特許請求の範囲中に明示的に記載されているかどうかにかかわらず、公に捧げられるようには意図されていない。要素が「〜ための手段」という表現を使用して明確に記載されていない限り、何れの特許請求の範囲の要素も、ミーンズプラスファンクションとして解釈されるべきではない。
【図１】
2018505613.tif 000003
【図２】
2018505613.tif 000004
【図３】
2018505613.tif 000005
【図４】
2018505613.tif 000006
【図５】
2018505613.tif 000007
【図６】
2018505613.tif 000008
【図７】
2018505613.tif 000009
【図８】
2018505613.tif 000010
【図９】
2018505613.tif 000011
【図１０】
2018505613.tif 000012
【図１１】
2018505613.tif 000013
【図１２】
2018505613.tif 000014
【図１３】
2018505613.tif 000015
【手続補正書】
【提出日】平成29年10月6日(2017.10.6)
【手続補正１】
【補正対象書類名】特許請求の範囲
【補正対象項目名】全文
【補正方法】変更
【補正の内容】
【特許請求の範囲】
【請求項１】
ユーザ（ＵＥ）機器によるワイヤレス通信の方法であって、
基地局から制御情報を受信することと、
前記受信された制御情報に基づいて、前記基地局からポイントツーマルチポイント（ＰＴＭ）データを受信すること、前記ＰＴＭデータは、識別子によってスクランブルされた誤り検出情報を備える、と、
前記識別子に基づいて、前記誤り検出情報を含む前記ＰＴＭデータを復号することを試みることと、
前記ＰＴＭデータを復号する前記試みに基づいて、前記基地局にフィードバック情報を送信するべきかどうかを決定することと
を備える、方法。
【請求項２】
前記決定することは、前記基地局に前記フィードバック情報を送信することを控えることを備える、請求項１に記載の方法。
【請求項３】
前記決定することは、前記ＵＥが、前記ＰＴＭデータを成功裏に復号するとき、前記基地局に前記フィードバック情報を送信することを控えることを備える、請求項１に記載の方法。
【請求項４】
前記決定は、さらに、前記ＵＥの電力レベルに基づき、および、前記ＵＥが、アップリンク共有チャネル上で送信するべきデータを有するかどうかに基づく、請求項１に記載の方法。
【請求項５】
前記ＵＥが前記ＰＴＭデータを成功裏に復号しないとき、前記基地局に前記ＰＴＭデータに関する前記フィードバック情報を送信することを試みることをさらに備える、請求項１に記載の方法。
【請求項６】
前記ＵＥが特定のグループサービスを受信していることを示す情報を送信することをさらに備える、請求項５に記載の方法。
【請求項７】
遅延に基づいて前記ＰＴＭデータをバッファすることをさらに備える、請求項５に記載の方法。
【請求項８】
前記フィードバック情報は、否定応答（ＮＡＣＫ）である、請求項５に記載の方法。
【請求項９】
前記ＰＴＭデータに関する前記ＮＡＣＫは、前記識別子に関連付けられたダウンリンク制御チャネルメッセージにおいて識別されたアップリンク制御チャネルリソース上で送信される、請求項８に記載の方法。
【請求項１０】
前記ＰＴＭデータに関する前記ＮＡＣＫは、半持続性スケジューリングにおいて識別されたアップリンク制御チャネルリソース上で送信され、前記半持続性スケジューリングは、前記識別子に関連付けられる、請求項８に記載の方法。
【請求項１１】
前記ＰＴＭデータは、二次サービングセルから受信され、および、前記ＰＴＭデータに関する前記ＮＡＣＫは、一次サービングセルに送信される、請求項８に記載の方法。
【請求項１２】
前記ＰＴＭデータに関する前記ＮＡＣＫは、前記識別子に関連付けられたダウンリンク制御チャネルメッセージにおいて示された電力制御コマンドに基づいて、送信されない、請求項８に記載の方法。
【請求項１３】
前記ＵＥは、アイドル状態にある、請求項８に記載の方法。
【請求項１４】
前記決定することは、ユニキャスト制御情報を送信することを控えることを備え、前記ＰＴＭデータに関する前記ＮＡＣＫは、前記識別子に関連付けられたアップリンクチャネルリソースにおいて、送信される、請求項８に記載の方法。
【請求項１５】
前記ＰＴＭデータに関する前記ＮＡＣＫは、スケジューリング要求リソース上で送信される、請求項８に記載の方法。
【請求項１６】
前記ＰＴＭデータに関する前記ＮＡＣＫは、ユニキャスト肯定応答（ＡＣＫ）またはユニキャストＮＡＣＫと一緒に送信される、請求項８に記載の方法。
【請求項１７】
前記ＰＴＭデータに関する前記ＮＡＣＫは、前記ユニキャストＡＣＫまたは前記ユニキャストＮＡＣＫのいずれかと一緒に符号化される、請求項１６に記載の方法。
【請求項１８】
前記ＰＴＭデータに関する前記ＮＡＣＫは、チャネル品質インジケータリソース上で送信される、請求項８に記載の方法。
【請求項１９】
ＰＴＭデータに関する前記ＮＡＣＫは、ユニキャストデータまたはユニキャスト制御情報と並行に送信される、請求項１に記載の方法。
【請求項２０】
前記ＵＥが、送信のためのユニキャストデータまたはユニキャスト制御情報を有するとき、前記ＵＥは、前記ＰＴＭデータに関する前記フィードバック情報を送信しないことを決定する、請求項１に記載の方法。
【請求項２１】
前記フィードバック情報を送信することを試みることをさらに備え、前記フィードバック情報は、受信レポート、無線リソース制御（ＲＲＣ）フィードバックレポート、または駆動テスト最小化（ＭＤＴ）レポートのうちの１つである、請求項１に記載の方法。
【請求項２２】
前記受信レポートは、一次セル識別子、二次セル識別子、または、データがマルチキャストブロードキャストマルチメディアストリーム（ＭＢＭＳ）送信を介して受信されるか、またはＰＴＭ送信を介して受信されるかについてのインジケーションのうちの少なくとも１つを含む、請求項２１に記載の方法。
【請求項２３】
前記ＲＲＣフィードバックレポートまたは前記ＭＤＴレポートは、前記識別子に関連付けられた受信されたパケットの数、または前記識別子に関連付けられた成功裏に復号されたパケットの数のうちの少なくとも１つを含む、請求項２２に記載の方法。
【請求項２４】
前記ＲＲＣフィードバックレポートまたは前記ＭＤＴレポートは、ブロックエラーレート（ＢＬＥＲ）の閾値または測定期間のうちの少なくとも１つに基づいて、送信される、請求項２２に記載の方法。
【請求項２５】
ワイヤレス通信のための装置であって、
基地局から制御情報を受信するための手段と、
前記受信された制御情報に基づいて、前記基地局からポイントツーマルチポイント（ＰＴＭ）データを受信するための手段、前記ＰＴＭデータは、識別子によってスクランブルされた誤り検出情報を備える、と、
前記識別子に基づいて、前記誤り検出情報を含む前記ＰＴＭデータを復号することを試みるための手段と、
前記ＰＴＭデータを復号する前記試みに基づいて、前記基地局にフィードバック情報を送信するべきかどうかを決定するための手段と
を備える、装置。
【請求項２６】
ワイヤレス通信のための装置であって、
メモリと、
前記メモリに結合され、および
基地局から制御情報を受信することと、
前記受信された制御情報に基づいて、前記基地局からポイントツーマルチポイント（ＰＴＭ）データを受信すること、前記ＰＴＭデータは、識別子によってスクランブルされた誤り検出情報を備える、と、
識別子に基づいて、前記誤り検出情報を含む前記ＰＴＭデータを復号することを試みることと、
前記ＰＴＭデータを復号する前記試みに基づいて、前記基地局にフィードバック情報を送信するべきかどうかを決定することと
を行うように構成された、少なくとも１つのプロセッサと
を備える、装置。
【請求項２７】
前記少なくとも１つのプロセッサは、前記装置が前記ＰＴＭデータを成功裏に復号するとき、前記基地局に前記フィードバック情報を送信することを控えることによって、フィードバック情報を送信するべきかどうかを決定するように構成される、請求項２６に記載の装置。
【請求項２８】
前記決定は、さらに、前記装置の電力レベルに基づき、および、前記装置が、アップリンク共有チャネル上で送信するべきデータを有するかどうかに基づく、請求項２６に記載の装置。
【請求項２９】
前記少なくとも１つのプロセッサは、前記装置が前記ＰＴＭデータを成功裏に復号しないとき、前記基地局に前記ＰＴＭデータに関する前記フィードバック情報を送信することを試みるようにさらに構成される、請求項２６に記載の装置。
【請求項３０】
ワイヤレス通信のためのコンピュータ実行可能コードを記憶するコンピュータ読み取り可能媒体であって、
基地局から制御情報を受信することと、
前記受信された制御情報に基づいて、前記基地局からポイントツーマルチポイント（ＰＴＭ）データを受信すること、前記ＰＴＭデータは、識別子によってスクランブルされた誤り検出情報を備える、と、
前記識別子に基づいて、前記誤り検出情報を含む前記ＰＴＭデータを復号することを試みることと、
前記ＰＴＭデータを復号する前記試みに基づいて、前記基地局にフィードバック情報を送信するべきかどうかを決定することと
を行うためのコードを備える、コンピュータ読み取り可能媒体。
【手続補正２】
【補正対象書類名】明細書
【補正対象項目名】００８６
【補正方法】変更
【補正の内容】
【００８６】
[0099]  先の説明は、当業者に、本明細書に説明された多様な態様を実施することを可能にさせるために提供されている。これらの態様への様々な修正は、当業者にとって容易に明らかとなり、本明細書において定義された包括的な原理は、他の態様に適用され得る。このように、特許請求の範囲は、本明細書に示される態様に限定されるように意図されたものではなく、特許請求の範囲の文言と矛盾しない最大範囲であると認められるべきであり、ここにおいて、単数のエレメントへの参照は、そのように明確に記載されていない限り、「１つおよび１つのみ」を意味するのではなく、むしろ「１つまたは複数」を意味するように意図されている。「例となる（exemplary）」という用語は、「例、事例、または例示として役立つこと」を意味するために本明細書で使用される。「例となる」ものとして本明細書に説明された何れの態様も、必ずしも、他の態様よりも好ましいまたは有利であると解釈されるべきではない。そうではないと明確に述べられていない限り、「いくつかの」という用語は、１つまたは複数を指す。「Ａ、Ｂ、またはＣのうちの少なくとも１つ」、「Ａ、Ｂ、およびＣのうちの少なくとも１つ」、および「Ａ、Ｂ、Ｃ、またはそれらの任意の組み合わせ」のような組み合わせは、Ａ、Ｂ、および／またはＣの任意の組み合わせを含み、複数のＡ、複数のＢ、または複数のＣを含み得る。具体的には、「Ａ、Ｂ、またはＣのうちの少なくとも１つ」、「Ａ、Ｂ、およびＣのうちの少なくとも１つ」、および「Ａ、Ｂ、Ｃ、またはそれらの任意の組み合わせ」のような組み合わせは、Ａのみ、Ｂのみ、Ｃのみ、ＡとＢ、ＡとＣ、ＢとＣ、またはＡとＢとＣであり得、ここで、任意のそのような組み合わせは、Ａ、Ｂ、またはＣの１つまたは複数のメンバーあるいは複数のメンバーを含み得る。当業者に知られている、または後に知られることとなる、本開示全体を通じて説明された様々な態様の要素と全ての構造的および機能的に同等なものは、参照によって本明細書に明確に組み込まれ、特許請求の範囲によって包含されるように意図される。その上、本明細書のどの開示も、そのような開示が特許請求の範囲中に明示的に記載されているかどうかにかかわらず、公に捧げられるようには意図されていない。要素が「〜ための手段」という表現を使用して明確に記載されていない限り、何れの特許請求の範囲の要素も、ミーンズプラスファンクションとして解釈されるべきではない。
以下に本願の出願当初の特許請求の範囲に記載された発明を付記する。
［Ｃ１］
ユーザ（ＵＥ）機器によるワイヤレス通信の方法であって、
基地局からポイントツーマルチポイント（ＰＴＭ）データを受信することと、
識別子に基づいて、前記ＰＴＭデータを復号することを試みることと、
前記ＰＴＭデータを復号する前記試みに基づいて、前記基地局にフィードバック情報を送信するべきかどうかを決定することと
を備える、方法。
［Ｃ２］
前記決定することは、前記基地局に前記フィードバック情報を送信することを控えることを備える、Ｃ１に記載の方法。
［Ｃ３］
前記決定することは、前記ＵＥが、前記ＰＴＭデータを成功裏に復号するとき、前記基地局に前記フィードバック情報を送信することを控えることを備える、Ｃ１に記載の方法。
［Ｃ４］
前記決定は、さらに、前記ＵＥの電力レベルに基づき、および、前記ＵＥが、アップリンク共有チャネル上で送信するべきデータを有するかどうかに基づく、Ｃ１に記載の方法。
［Ｃ５］
前記ＵＥが前記ＰＴＭデータを成功裏に復号しないとき、前記基地局に前記ＰＴＭデータに関する前記フィードバック情報を送信することを試みることをさらに備える、Ｃ１に記載の方法。
［Ｃ６］
前記ＵＥが特定のグループサービスを受信していることを示す情報を送信することをさらに備える、Ｃ５に記載の方法。
［Ｃ７］
遅延に基づいて前記ＰＴＭデータをバッファすることをさらに備える、Ｃ５に記載の方法。
［Ｃ８］
前記フィードバック情報は、否定応答（ＮＡＣＫ）である、Ｃ５に記載の方法。
［Ｃ９］
前記ＰＴＭデータに関する前記ＮＡＣＫは、前記識別子に関連付けられたダウンリンク制御チャネルメッセージにおいて識別されたアップリンク制御チャネルリソース上で送信される、Ｃ８に記載の方法。
［Ｃ１０］
前記ＰＴＭデータに関する前記ＮＡＣＫは、半持続性スケジューリングにおいて識別されたアップリンク制御チャネルリソース上で送信され、前記半持続性スケジューリングは、前記識別子に関連付けられる、Ｃ８に記載の方法。
［Ｃ１１］
前記ＰＴＭデータは、二次サービングセルから受信され、および、前記ＰＴＭデータに関する前記ＮＡＣＫは、一次サービングセルに送信される、Ｃ８に記載の方法。
［Ｃ１２］
前記ＰＴＭデータに関する前記ＮＡＣＫは、前記識別子に関連付けられたダウンリンク制御チャネルメッセージにおいて示された電力制御コマンドに基づいて、送信されない、Ｃ８に記載の方法。
［Ｃ１３］
前記ＵＥは、アイドル状態にある、Ｃ８に記載の方法。
［Ｃ１４］
前記決定することは、ユニキャスト制御情報を送信することを控えることを備え、前記ＰＴＭデータに関する前記ＮＡＣＫは、前記識別子に関連付けられたアップリンクチャネルリソースにおいて、送信される、Ｃ８に記載の方法。
［Ｃ１５］
前記ＰＴＭデータに関する前記ＮＡＣＫは、スケジューリング要求リソース上で送信される、Ｃ８に記載の方法。
［Ｃ１６］
前記ＰＴＭデータに関する前記ＮＡＣＫは、ユニキャスト肯定応答（ＡＣＫ）またはユニキャストＮＡＣＫと一緒に送信される、Ｃ８に記載の方法。
［Ｃ１７］
前記ＰＴＭデータに関する前記ＮＡＣＫは、前記ユニキャストＡＣＫまたは前記ユニキャストＮＡＣＫのいずれかと一緒に符号化される、Ｃ１６に記載の方法。
［Ｃ１８］
前記ＰＴＭデータに関する前記ＮＡＣＫは、チャネル品質インジケータリソース上で送信される、Ｃ８に記載の方法。
［Ｃ１９］
ＰＴＭデータに関する前記ＮＡＣＫは、ユニキャストデータまたはユニキャスト制御情報と並行に送信される、Ｃ１に記載の方法。
［Ｃ２０］
前記ＵＥが、送信のためのユニキャストデータまたはユニキャスト制御情報を有するとき、前記ＵＥは、前記ＰＴＭデータに関する前記フィードバック情報を送信しないことを決定する、Ｃ１に記載の方法。
［Ｃ２１］
前記フィードバック情報を送信することを試みることをさらに備え、前記フィードバック情報は、受信レポート、無線リソース制御（ＲＲＣ）フィードバックレポート、または駆動テスト最小化（ＭＤＴ）レポートのうちの１つである、Ｃ１に記載の方法。
［Ｃ２２］
前記受信レポートは、一次セル識別子、二次セル識別子、または、データがマルチキャストブロードキャストマルチメディアストリーム（ＭＢＭＳ）送信を介して受信されるか、またはＰＴＭ送信を介して受信されるかについてのインジケーションのうちの少なくとも１つを含む、Ｃ２１に記載の方法。
［Ｃ２３］
前記ＲＲＣフィードバックレポートまたは前記ＭＤＴレポートは、前記識別子に関連付けられた受信されたパケットの数、または前記識別子に関連付けられた成功裏に復号されたパケットの数のうちの少なくとも１つを含む、Ｃ２２に記載の方法。
［Ｃ２４］
前記ＲＲＣフィードバックレポートまたは前記ＭＤＴレポートは、ブロックエラーレート（ＢＬＥＲ）の閾値または測定期間のうちの少なくとも１つに基づいて、送信される、Ｃ２２に記載の方法。
［Ｃ２５］
ワイヤレス通信のための装置であって、
基地局からポイントツーマルチポイント（ＰＴＭ）データを受信するための手段と、
識別子に基づいて、前記ＰＴＭデータを復号することを試みるための手段と、
前記ＰＴＭデータを復号する前記試みに基づいて、前記基地局にフィードバック情報を送信するべきかどうかを決定するための手段と
を備える、装置。
［Ｃ２６］
ワイヤレス通信のための装置であって、
メモリと、
前記メモリに結合され、および
基地局からポイントツーマルチポイント（ＰＴＭ）データを受信することと、
識別子に基づいて、前記ＰＴＭデータを復号することを試みることと、
前記ＰＴＭデータを復号する前記試みに基づいて、前記基地局にフィードバック情報を送信するべきかどうかを決定することと
を行うように構成された、少なくとも１つのプロセッサと
を備える、装置。
［Ｃ２７］
前記少なくとも１つのプロセッサは、前記装置が前記ＰＴＭデータを成功裏に復号するとき、前記基地局に前記フィードバック情報を送信することを控えることによって、フィードバック情報を送信するべきかどうかを決定するように構成される、Ｃ２６に記載の装置。
［Ｃ２８］
前記決定は、さらに、前記装置の電力レベルに基づき、および、前記装置が、アップリンク共有チャネル上で送信するべきデータを有するかどうかに基づく、Ｃ２６に記載の装置。
［Ｃ２９］
前記少なくとも１つのプロセッサは、前記装置が前記ＰＴＭデータを成功裏に復号しないとき、前記基地局に前記ＰＴＭデータに関する前記フィードバック情報を送信することを試みるようにさらに構成される、Ｃ２６に記載の装置。
［Ｃ３０］
ワイヤレス通信のためのコンピュータ実行可能コードを記憶するコンピュータ読み取り可能媒体であって、
基地局からポイントツーマルチポイント（ＰＴＭ）データを受信することと、
識別子に基づいて、前記ＰＴＭデータを復号することを試みることと、
前記ＰＴＭデータを復号する前記試みに基づいて、前記基地局にフィードバック情報を送信するべきかどうかを決定することと
を行うためのコードを備える、コンピュータ読み取り可能媒体。
【国際調査報告】
2018505613.tif 000016
2018505613.tif 000017